(57)【要約】  基地局装置（１１０）は、受信部（１１１）と、送信部（１１２）と、を有する。受信部（１１１）は、第１の端末装置（１２０ａ）と、第２の端末装置（１２０ｂ）との間の直接の無線通信の開始要求を第１の端末装置（１２０ａ）から受信する。送信部（１１２）は、受信部（１１１）によって開始要求が受信された後に、第１の端末装置（１２０ａ）と第２の端末装置（１２０ｂ）との間で相互に信号を送信させて直接の無線通信を確立させるための制御信号を第１の端末装置（１２０ａ）および第２の端末装置（１２０ｂ）へ送信する。
2015097908.tif 000002
【特許請求の範囲】
【請求項１】
第１の端末装置と第２の端末装置との間の直接の無線通信の開始要求を前記第１の端末装置から受信する受信部と、
前記受信部によって前記開始要求が受信された後に、前記第１の端末装置と前記第２の端末装置との間で相互に信号を送信させて前記直接の無線通信を確立させるための制御信号を前記第１の端末装置および前記第２の端末装置へ送信する送信部と、
を有することを特徴とする基地局装置。
【請求項２】
前記第１の端末装置と前記第２の端末装置との間の無線伝搬品質を示す情報を取得する取得部と、
前記取得部によって取得された前記情報が示す前記無線伝搬品質が所定の条件を満たさない場合に、前記直接の無線通信を実行させずに、前記直接の無線通信と同一の所定の通信方式によって前記第１の端末装置および前記第２の端末装置との間でそれぞれ無線通信することにより、前記第１の端末装置と前記第２の端末装置との間の通信の中継を行う中継部と、
を有することを特徴とする請求項１に記載の基地局装置。
【請求項３】
前記中継部は、前記受信部によって前記開始要求が受信された際の前記無線伝搬品質が所定の条件を満たさない場合に、前記直接の無線通信を開始させずに前記中継を開始することを特徴とする請求項２に記載の基地局装置。
【請求項４】
前記取得部は、前記直接の無線通信中に前記無線伝搬品質を示す情報を取得し、
前記中継部は、前記直接の無線通信中に前記無線伝搬品質が所定の条件を満たさなくなった場合に、前記直接の無線通信を終了させて前記中継を開始することを特徴とする請求項２または３に記載の基地局装置。
【請求項５】
前記取得部は、自装置と前記第２の端末装置との間の第１の無線伝搬品質と、他の基地局装置と前記第２の端末装置との間の第２の無線伝搬品質と、を示す情報を取得し、
前記中継部は、
前記第１の端末装置と前記第２の端末装置との間の無線伝搬品質が所定の条件を満たさない場合に、前記取得部によって取得された情報に基づく前記第１の無線伝搬品質と前記第２の無線伝搬品質との比較結果に応じて、
自装置が、前記第１の端末装置との間で無線通信を行い、前記他の基地局装置を介して前記第２の端末装置との間で通信を行うことによる前記第１の端末装置と前記第２の端末装置との間の通信の中継と、
自装置が前記第１の端末装置および前記第２の端末装置との間でそれぞれ無線通信することによる前記第１の端末装置と前記第２の端末装置との間の通信の中継と、
を切替えることを特徴とする請求項２〜４のいずれか一つに記載の基地局装置。
【請求項６】
前記直接の無線通信と同一の所定の通信方式により前記第１の端末装置および前記第２の端末装置との間でそれぞれ通信を行うための空き回線の有無を示す情報を取得する取得部と、
前記取得部によって取得された情報に基づいて、前記空き回線がある場合に、前記所定の通信方式によって前記第１の端末装置および前記第２の端末装置との間でそれぞれ無線通信することにより、前記第１の端末装置と前記第２の端末装置との間の通信の中継を行う中継部と、
を有することを特徴とする請求項１〜５のいずれか一つに記載の基地局装置。
【請求項７】
前記直接の無線通信と同一の所定の通信方式によって前記第１の端末装置および前記第２の端末装置との間でそれぞれ無線通信することによる第１の回線と、
前記所定の通信方式とは異なる通信方式によって前記第１の端末装置および前記第２の端末装置との間でそれぞれ無線通信することによる第２の回線と、
を同時に用いて前記第１の端末装置と前記第２の端末装置との間の通信の中継を行う中継部を有することを特徴とする請求項１〜６のいずれか一つに記載の基地局装置。
【請求項８】
前記第２の端末装置が前記直接の無線通信を行う機能を有していない場合に、前記直接の無線通信を実行させずに、前記直接の無線通信と同一の所定の通信方式によって前記第１の端末装置との間で無線通信を行い、前記所定の通信方式とは異なる通信方式によって前記第２の端末装置との間で無線通信を行うことにより、前記第１の端末装置と前記第２の端末装置との間の通信の中継を行う中継部を有することを特徴とする請求項１〜７のいずれか一つに記載の基地局装置。
【請求項９】
自装置と他の端末装置との間の直接の無線通信の開始要求を基地局装置へ送信する送信部と、
前記送信部によって前記開始要求が送信された後に、前記直接の無線通信を確立させるための制御信号を前記基地局装置から受信する受信部と、
前記受信部によって前記制御信号が受信されることにより、自装置と前記他の端末装置との間で相互に信号を送信して前記直接の無線通信を確立する制御部と、
を有することを特徴とする端末装置。
【請求項１０】
第１の端末装置と第２の端末装置との間の直接の無線通信の開始要求を基地局装置へ送信する前記第１の端末装置と、
前記開始要求を前記第１の端末装置から受信した後に、前記直接の無線通信を確立させるための制御信号を前記第１の端末装置および前記第２の端末装置へ送信する基地局装置と、
を有し、
前記第１の端末装置は、前記制御信号を前記基地局装置から受信することにより、前記第１の端末装置と前記第２の端末装置との間で相互に信号を送信して前記直接の無線通信を確立することを特徴とする無線アクセスシステム。
【発明の詳細な説明】
【技術分野】
【０００１】
本発明は、基地局装置、端末装置および無線アクセスシステムに関する。
【背景技術】
【０００２】
従来、端末間で通信可能なＭ２Ｍ（Ｍａｃｈｉｎｅ  Ｔｏ  Ｍａｃｈｉｎｅ）端末の通信プロトコルを変換して、基地局が提供するネットワークに接続する技術が知られている（例えば、下記特許文献１参照）。また、Ｍ２Ｍ端末と接続する機能およびＭ２Ｍ非対応端末と接続する機能を有する基地局に関する技術が知られている（例えば、下記特許文献２参照。）。
【先行技術文献】
【特許文献】
【０００３】
【特許文献１】特開２０１２−１２４６０２号公報
【特許文献２】特表２０１３−５０６３８７号公報
【発明の概要】
【発明が解決しようとする課題】
【０００４】
しかしながら、従来技術では、各端末が基地局を介さずに直接無線通信を行うため、端末装置間の直接の無線通信を基地局が管理することができないという問題がある。【０００５】
１つの側面では、本発明は、端末装置間の直接の無線通信を基地局が管理することを目的とする。
【課題を解決するための手段】
【０００６】
本発明の一側面によれば、第１の端末装置と第２の端末装置との間の直接の無線通信の開始要求を前記第１の端末装置から受信する受信部と、前記受信部によって前記開始要求が受信された後に、前記第１の端末装置と前記第２の端末装置との間で相互に信号を送信させて前記直接の無線通信を確立させるための制御信号を前記第１の端末装置および前記第２の端末装置へ送信する送信部と、を有する、基地局装置、端末装置および無線アクセスシステムが提案される。
【発明の効果】
【０００７】
本発明の一態様によれば、端末装置間の直接通信を基地局が管理することができるという効果を奏する。
【図面の簡単な説明】
【０００８】
【図１】図１は、無線アクセスシステムの機能的構成を示すブロック図である。
【図２】図２は、無線アクセスシステムの一例を示す説明図である。
【図３Ａ】図３Ａは、実施の形態１にかかる無線アクセスシステムにおける通信の概要を示す説明図（その１）である。
【図３Ｂ】図３Ｂは、実施の形態１にかかる無線アクセスシステムにおける通信の概要を示す説明図（その２）である。
【図４】図４は、実施の形態１にかかる無線アクセスシステムの機能的構成の具体例を示すブロック図である。
【図５】図５は、実施の形態１にかかる無線アクセスシステムにおける通信経路の一例を示す説明図（その１）である。
【図６】図６は、サーチ信号のフォーマットの一例を示す説明図である。
【図７】図７は、Ｄ２Ｄ通信の利用状況のフォーマットの一例を示す説明図である。
【図８】図８は、実施の形態１にかかる無線アクセスシステムにおける通信経路の一例を示す説明図（その２）である。
【図９】図９は、実施の形態１にかかる無線アクセスシステムにおける通信経路の一例を示す説明図（その３）である。
【図１０】図１０は、他基地局に対して代替通信の接続が可能か確認するメッセージの一例を示す説明図である。
【図１１】図１１は、他基地局からのＤ２Ｄ通信の接続可否メッセージの一例を示す説明図である。
【図１２】図１２は、コンピュータ装置のハードウェア構成の一例を示す図である。
【図１３】図１３は、通信品質に基づく回線の切替え判断のアルゴリズム例を示すフローチャートである。
【図１４】図１４は、端末装置間のＤ２Ｄ通信を開始して、端末装置間のＤ２Ｄ通信から自基地局による通信に切替える動作の一例を示すシーケンス図である。
【図１５】図１５は、端末装置間のＤ２Ｄ通信を開始して、端末装置間のＤ２Ｄ通信から他基地局による通信に切替える動作の一例を示すシーケンス図である。
【図１６】図１６は、実施の形態２にかかる無線アクセスシステムにおける通信の概要を示す説明図である。
【図１７Ａ】図１７Ａは、実施の形態２にかかる無線アクセスシステムにおける通信経路の一例を示す説明図である。
【図１７Ｂ】図１７Ｂは、リソース状況のフォーマットの一例を示す説明図である。
【図１８】図１８は、空きリソースに基づく回線の確立のアルゴリズム例を示すフローチャートである。
【図１９】図１９は、端末装置間のＤ２Ｄ通信を開始して、対基地局通信とＤ２Ｄ通信の２つの通信を確立させる動作の一例を示すシーケンス図である。
【図２０Ａ】図２０Ａは、実施の形態３にかかる無線アクセスシステムにおける通信の概要を示す説明図（その１）である。
【図２０Ｂ】図２０Ｂは、実施の形態３にかかる無線アクセスシステムにおける通信の概要を示す説明図（その２）である。
【図２１】図２１は、実施の形態３にかかる無線アクセスシステムにおける通信経路の一例を示す説明図である。
【図２２】図２２は、サーチ信号の照会のアルゴリズム例を示すフローチャートである。
【図２３】図２３は、自基地局内において代替通信を開始させる動作の一例を示すシーケンス図である。
【図２４】図２４は、自基地局および他基地局においてそれぞれ代替通信を開始させる動作の一例を示すシーケンス図である。
【図２５】図２５は、実施の形態４にかかる無線アクセスシステムにおける通信の概要を示す説明図である。
【図２６】図２６は、実施の形態４にかかる無線アクセスシステムの機能的構成の具体例を示すブロック図である。
【図２７Ａ】図２７Ａは、実施の形態４にかかる無線アクセスシステムにおける通信経路の一例（その１）を示す説明図である。
【図２７Ｂ】図２７Ｂは、実施の形態４にかかる無線アクセスシステムにおける通信経路の一例（その２）を示す説明図である。
【図２８】図２８は、Ｄ２Ｄ通信を行う端末装置と、Ｄ２Ｄ通信に未対応の端末装置とを通信させる動作の一例を示すシーケンス図である。
【発明を実施するための形態】
【０００９】
以下に図面を参照して、本発明にかかる基地局装置、端末装置および無線アクセスシステムの実施の形態１〜４を詳細に説明する。
【００１０】
（実施の形態１）
（無線アクセスシステムの機能的構成の一例）
図１は、無線アクセスシステムの機能的構成を示すブロック図である。図１において、無線アクセスシステム１００は、基地局装置１１０と、端末装置１２０と、を有する。基地局装置１１０は、受信部１１１と、送信部１１２と、取得部１１３と、中継部１１４と、を有する。
【００１１】
受信部１１１は、第１の端末装置１２０ａと第２の端末装置１２０ｂとの間の直接の無線通信の開始要求を第１の端末装置１２０ａから受信する。直接の無線通信とは、例えば、Ｄ２Ｄ（Ｄｅｖｉｃｅ  Ｔｏ  Ｄｅｖｉｃｅ）通信である。直接の無線通信では、例えばＲＲＣ（Ｒａｄｉｏ  Ｒｅｓｏｕｒｃｅ  Ｃｏｎｔｒｏｌ）などの対基地局通信の通信方式とは異なる周波数帯域が用いられる。
【００１２】
送信部１１２は、受信部１１１によって開始要求が受信された後に、制御信号を第１の端末装置１２０ａおよび第２の端末装置１２０ｂへ送信する。制御信号は、第１の端末装置１２０ａと第２の端末装置１２０ｂとの間で相互に信号を送信させて直接の無線通信を確立させるための信号である。第１の端末装置１２０ａと第２の端末装置１２０ｂとの間で相互に送信される信号は、例えば、サーチ信号やハンドシェイクを行うための信号である。
【００１３】
送信部１１２は、例えば、第１の端末装置１２０ａおよび第２の端末装置１２０ｂ毎の条件に応じて、第１の端末装置１２０ａおよび第２の端末装置１２０ｂへ制御信号を送信してもよい。第１の端末装置１２０ａおよび第２の端末装置１２０ｂ毎の条件とは、例えば、第１の端末装置１２０ａおよび第２の端末装置１２０ｂが直接の無線通信を行う権限を有するといった条件である。
【００１４】
第１の端末装置１２０ａおよび第２の端末装置１２０ｂは、制御信号を受信すると、相互に信号を送信して直接の無線通信を確立する。第１の端末装置１２０ａおよび第２の端末装置１２０ｂは、例えば、直接の無線通信と同一の通信方式により相互に信号を送信する。
【００１５】
具体的には、第１の端末装置１２０ａは、送信部１２１と、受信部１２２と、制御部１２３と、を有する。送信部１２１は、自装置と他の端末装置との間の直接の無線通信の開始要求を基地局装置１１０へ送信する。受信部１２２は、送信部１２１によって開始要求が送信された後に、基地局装置１１０から、直接の無線通信を確立させるための制御信号を受信する。
【００１６】
制御部１２３は、受信部１２２によって制御信号が受信されることにより、自装置（第１の端末装置１２０ａ）と他の端末装置（第２の端末装置１２０ｂ）との間で相互に信号を送信して直接の無線通信を確立する。具体的には、制御部１２３は、受信部１２２によって制御信号が受信されることを条件に、直接の無線通信を確立し、受信部１２２によって制御信号が受信されない場合には、直接の無線通信を確立しない。例えば、制御部１２３は、自装置と他の端末装置との間で相互にターゲット端末名とソース端末名とを示したサーチ信号を送信して、ターゲット端末名とソース端末名とを照会することによって、直接の無線通信を確立する。
【００１７】
これにより、基地局装置１１０は、直接の無線通信が行われることについて、許可を与えるという管理を行うことができる。
【００１８】
送信部１２１は、直接の無線通信を確立した場合に、直接の無線通信の結果に関する情報を基地局装置１１０へ送信する。直接の無線通信の結果に関する情報とは、直接の無線通信が確立した旨を示す開始情報や、直接の無線通信が終了した場合には直接の無線通信が終了した旨を示す終了情報などである。また、直接の無線通信の結果に関する情報は、このほかにも、第１の端末装置１２０ａと第２の端末装置１２０ｂとの間で送受したデータ量、通信時間、直接の無線通信を行った際の通信品質を示す情報としてもよい。
【００１９】
送信部１２１は、直接の無線通信が終了した場合に、直接の無線通信の結果に関する情報をまとめて送信してもよい。また、送信部１２１から基地局装置１１０へ直接の無線通信の結果に関する情報を送信することに限らず、第２の端末装置１２０ｂから基地局装置１１０へ直接の無線通信の結果に関する情報を送信してもよい。
【００２０】
これにより、基地局装置１１０は、第１の端末装置１２０ａおよび第２の端末装置１２０ｂが直接の無線通信について、通信の内容を把握するという管理を行うことができる。
【００２１】
ここで、第１の端末装置１２０ａおよび第２の端末装置１２０ｂは、例えば、相互間の無線伝搬品質を示す情報や、基地局装置１１０や他の基地局装置との間の無線伝搬品質を示す情報を逐次サーチ信号として外部に送信する。基地局装置１１０は、受信したサーチ信号から端末装置１２０ａ，１２０ｂ間や、第１の端末装置１２０ａと基地局装置１１０との間や、第２の端末装置１２０ｂと基地局装置１１０との間、の無線伝搬品質を得ることができる。
【００２２】
また、取得部１１３は、第１の端末装置１２０ａと第２の端末装置１２０ｂとの間の無線伝搬品質を示す情報を取得する。第１の端末装置１２０ａと第２の端末装置１２０ｂとの間の無線伝搬品質を示す情報とは、例えば、第１の端末装置１２０ａと第２の端末装置１２０ｂとの間の電波の受信強度であり、直接の無線通信を行うことができるか否かを示す情報である。
【００２３】
中継部１１４は、取得部１１３によって取得された情報が示す無線伝搬品質が所定の条件を満たさない場合に、直接の無線通信を実行させない。所定の条件を満たさない場合とは、例えば、端末装置１２０ａ，１２０ｂ間の距離が離れて、端末装置１２０ａ，１２０ｂ間の電波の受信強度が所定値以下となる場合であり、すなわち、直接の無線通信を行うことが困難な場合である。
【００２４】
所定の条件を満たさない場合、中継部１１４は、所定の通信方式によって第１の端末装置１２０ａおよび第２の端末装置１２０ｂとの間でそれぞれ無線通信することにより、第１の端末装置１２０ａと第２の端末装置１２０ｂとの間の通信の中継を行う。所定の通信方式は、直接の無線通信と同一の通信方式である。同一の通信方式とは、具体的には、Ｄ２Ｄ通信における信号と同一周波数の信号を用いたり、Ｄ２Ｄ通信における信号と同一種別の信号を用いたりする通信である。中継部１１４が行う通信の中継を代替通信という。
【００２５】
これにより、直接の無線通信を行えない場合に、直接の無線通信と同一の通信方式である代替通信を行うため、直接の無線通信と同等の通信を行うことができる。基地局装置１１０による代替通信は、端末装置１２０ａ，１２０ｂ間の直接の無線通信に比べて電波の強度が高いため、直接の無線通信に比べて高品質の通信を行うことができる。また、直接の無線通信では、対基地局通信の通信方式とは異なる周波数帯域を用いるため、他の周波数帯域を圧迫しないようにすることができる。
【００２６】
中継部１１４は、受信部１１１によって開始要求が受信された際の無線伝搬品質が所定の条件を満たさない場合に、直接の無線通信を開始させずに代替通信を開始する。直接の無線通信を開始させないようにするためには、送信部１１２は、第１の端末装置１２０ａおよび第２の端末装置１２０ｂへ、上述の制御信号を送信しなくてもよいし、直接の無線通信を中止させるための信号を送信してもよい。
【００２７】
これにより、直接の無線通信を開始できない場合に、直接の無線通信と同一の通信方式である代替通信を行うため、直接の無線通信と同等の通信を開始することができる。なお、受信部１１１によって開始要求が受信された際の無線伝搬品質が所定の条件を満たさない場合の通信の詳細については、実施の形態３にて説明する。
【００２８】
取得部１１３は、直接の無線通信中に無線伝搬品質を示す情報を取得する。取得部１１３は、端末装置１２０ａおよび端末装置１２０ｂからそれぞれ直接の無線方式と同一の無線方式により無線伝搬品質を示す情報を受信することにより、無線伝搬品質を示す情報を取得する。
【００２９】
中継部１１４は、直接の無線通信中に無線伝搬品質が所定の条件を満たさなくなった場合に、直接の無線通信を終了させて代替通信を開始する。具体的には、中継部１１４は、第１の端末装置１２０ａと第２の端末装置１２０ｂとの間の電波の受信強度が所定値以下となった場合に代替通信を開始する。直接の無線通信を終了させるために、送信部１１２は、例えば直接の無線通信を中止させるための信号を端末装置１２０ａおよび端末装置１２０ｂへ送信する。
【００３０】
これにより、直接の無線通信を行っている際に、直接の無線通信を行うことができなくなった場合に、直接の無線通信と同一の通信方式である代替通信を行うため、端末装置１２０ａ，１２０ｂ間の通信を切断することなく、継続して通信を行うことができる。
【００３１】
また、中継部１１４は、代替通信中に無線伝搬品質が所定の条件を満たすようになった場合に、代替通信を終了させて直接の無線通信を開始させるようにしてもよい。つまり、第１の端末装置１２０ａと第２の端末装置１２０ｂとの間の無線伝搬品質が改善した場合には、代替通信を終了させるようにしてもよい。これにより、例えば、代替通信を行うための空き回線を確保しやすくすることができ、無線伝搬品質が低下した直接の無線通信を優先して代替通信に切替えることができる。
【００３２】
ここで、基地局装置１１０は、第１の端末装置１２０ａおよび第２の端末装置１２０ｂ受信したサーチ信号から各無線伝搬品質を得て、各無線伝搬品質を他の基地局装置と共有する。例えば、基地局装置１１０は、第２の端末装置１２０ｂとの直接の無線通信の開始要求を第１の端末装置１２０ａから受信したとする。この場合、基地局装置１１０は、第１の端末装置１２０ａのサーチ信号と、端末装置１２０ｂが自基地局内に存在しない場合には他基地局から送信される第２の端末装置１２０ｂのサーチ信号と、を照会する。
【００３３】
照会の結果、例えばターゲット端末名とソース端末名とが相互に一致する場合には、第１の端末装置１２０ａと第２の端末装置１２０ｂとの間の通信を確立する。具体的には、基地局装置１１０と第１の端末装置１２０ａとの間で直接の無線通信と同一の通信方式による通信を行い、他の基地局装置と第２の端末装置１２０ｂとの間で直接の無線通信と同一の通信方式による通信を行う。基地局装置１１０と他の基地局装置とを接続することにより、第１の端末装置１２０ａと第２の端末装置１２０ｂとの間の通信が確立する。
【００３４】
例えば、取得部１１３は、自装置（基地局装置１１０）と第２の端末装置１２０ｂとの間の第１の無線伝搬品質と、他の基地局装置と第２の端末装置１２０ｂとの間の第２の無線伝搬品質と、を示す情報を取得する。
【００３５】
中継部１１４は、第１の端末装置１２０ａと第２の端末装置１２０ｂとの間の無線伝搬品質が所定の条件を満たさない場合に、第１の中継と、第２の中継と、を切替える。具体的には、中継部１１４は、取得部１１３によって取得された情報に基づく第１の無線伝搬品質と第２の無線伝搬品質との比較結果に応じて、第１の中継と、第２の中継と、を切替える。
【００３６】
第１の中継は、自装置（基地局装置１１０）が、第１の端末装置１２０ａとの間で無線通信を行い、他の基地局装置を介して第２の端末装置１２０ｂとの間で通信を行うことによる第１の端末装置１２０ａと第２の端末装置１２０ｂとの間の通信の中継である。第２の中継は、自装置が第１の端末装置１２０ａおよび第２の端末装置１２０ｂとの間でそれぞれ無線通信することによる第１の端末装置１２０ａと第２の端末装置１２０ｂとの間の通信の中継である。
【００３７】
具体的には、第１の無線伝搬品質が第２の無線伝搬品質よりも悪い場合、他の基地局を介した第１の中継を行う。第１の無線伝搬品質が第２の無線伝搬品質よりも良好な場合、自基地局のみによる第２の中継を行う。基地局装置１１０と他の基地局装置とは、端末装置１２０ａ，１２０ｂ間の通信とは異なる通信により接続され、例えばＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）などのネットワークによって接続される。他の基地局装置は、基地局装置１１０と同様に代替通信の機能を有しており、第２の端末装置１２０ｂとの間で代替通信を行う。
【００３８】
これにより、第２の端末装置１２０ｂと基地局装置１１０との間の第１の無線伝搬品質が悪い場合でも、他の基地局を介した第１の中継を行うことにより、第１の端末装置１２０ａと第２の端末装置１２０ｂとを通信接続させることができる。また、他の基地局装置が第２の端末装置１２０ｂとの間で代替通信を行うことにより、他の基地局装置が第２の端末装置１２０ｂとの間で直接の無線通信と同一の通信方式による通信を行うことができる。これにより、直接の無線通信を行っている際に、例えば第２の端末装置１２０ｂが他の基地局の近傍に位置した場合でも、端末装置１２０ａ，１２０ｂ間の通信を切断することなく、継続して通信を行うことができる。
【００３９】
また、中継部１１４は、受信部１１１によって開始要求が受信された際の第１の無線伝搬品質と第２の無線伝搬品質との比較結果に応じて、直接の無線通信を開始させずに、他の基地局装置を介した第１の中継、または自基地局のみによる第２の中継を開始する。
【００４０】
これにより、第２の端末装置１２０ｂと基地局装置１１０との間の第１の無線伝搬品質が悪い場合でも、他の基地局を介した第１の中継を行うことにより、第１の端末装置１２０ａと第２の端末装置１２０ｂとの通信を開始させることができる。また、他の基地局装置が第２の端末装置１２０ｂとの間で代替通信を行うことにより、他の基地局装置が第２の端末装置１２０ｂとの間で直接の無線通信と同一の通信方式による通信を開始させることができる。なお、受信部１１１によって開始要求が受信された際の無線伝搬品質が所定の条件を満たさない場合の通信の詳細については、実施の形態３にて説明する。
【００４１】
また、取得部１１３は、直接の無線通信中に第１の無線伝搬品質と第２の無線伝搬品質とを示す情報を取得する。中継部１１４は、直接の無線通信中に第１の無線伝搬品質と第２の無線伝搬品質との比較結果に応じて、直接の無線通信を終了させて他の基地局装置を介した第１の中継または自基地局のみによる第２の中継を開始する。
【００４２】
これにより、直接の無線通信中に、第２の端末装置１２０ｂと基地局装置１１０との間の第１の無線伝搬品質が悪くなった場合でも、第１の中継を行うことにより、第１の端末装置１２０ａと第２の端末装置１２０ｂとの通信を継続できる。また、他の基地局装置が第２の端末装置１２０ｂとの間で代替通信を行うことにより、他の基地局装置が第２の端末装置１２０ｂとの間で直接の無線通信と同一の通信方式による通信を継続することができる。
【００４３】
（無線アクセスシステムの一例）
図２は、無線アクセスシステムの一例を示す説明図である。図２に示すように、無線アクセスシステム１００は、端末装置２０１と、基地局装置２０２と、オペレータ局舎内装置２０３と、を有する。端末装置２０１は、図１の第１の端末装置１２０ａおよび第２の端末装置１２０ｂに相当する。基地局装置２０２は、図１の基地局装置１１０に相当する。
【００４４】
端末装置２０１は、ＵＥ（Ｕｓｅｒ  Ｅｑｕｉｐｍｅｎｔ）であり、スマートフォン、タブレット端末、携帯電話、などのユーザが使用するコンピュータ装置である。端末装置２０１は、ＬＴＥ−Ａ方式（Ｌｏｎｇ  Ｔｅｒｍ  Ｅｖｏｌｕｔｉｏｎ−Ａｄｖａｎｃｅ）の通信規格に対応している。ＬＴＥ（Ｌｏｎｇ  Ｔｅｒｍ  Ｅｖｏｌｕｔｉｏｎ）は登録商標である。端末装置２０１は、基地局装置２０２を介さずに、他の端末装置２０１と直接通信を行うＤ２Ｄ通信を行うことが可能である。Ｄ２Ｄ通信では、データの送受や通話を行うことができる。
【００４５】
基地局装置２０２は、ＬＴＥ−Ａ方式の通信規格に対応する基地局である。基地局装置２０２は、例えばフェムトセル小型基地局であり、半径数十メートル程度の通信エリアを構築する。端末装置２０１と基地局装置２０２とは、ＬＴＥ−Ａ方式の通信規格により通信可能である。オペレータ局舎内装置２０３は、モバイルオペレータの局舎内に設置されるコンピュータ装置である。基地局装置２０２とオペレータ局舎内装置２０３とは、固定通信網２１０によって通信可能に接続されている。
【００４６】
（無線アクセスシステムの動作の一例）
図３Ａは、実施の形態１にかかる無線アクセスシステムにおける通信の概要を示す説明図（その１）である。図３Ａに示すように、無線アクセスシステム１００は、複数の基地局装置２０２ａ，２０２ｂを有する。基地局装置２０２ａは、通信エリア３２０ａを有する。基地局装置２０２ｂは、通信エリア３２０ｂを有する。
【００４７】
それぞれの基地局装置２０２ａ，２０２ｂは、基地局機能部３０１と、Ｄ２Ｄプロキシ機能部３０２と、Ｄ２Ｄ機能部３０３と、を有する。基地局機能部３０１は、固定通信網２１０を介して、オペレータ局舎内装置２０３と通信を行う機能部である。基地局機能部３０１は、対基地局通信の通信方式にて通信を行う。対基地局通信の通信方式とは、例えばＲＲＣである。
【００４８】
Ｄ２Ｄプロキシ機能部３０２は、対基地局通信の通信方式とは異なるＤ２Ｄ通信の通信方式にて通信を行う機能部である。Ｄ２Ｄ通信は、例えば、周波数帯域が対基地局通信に比べて狭く、対基地局通信に比べて通信速度が遅い。
【００４９】
基地局装置２０２ａ（２０２ｂ）のＤ２Ｄプロキシ機能部３０２は、オペレータ局舎内装置２０３に接続することなく固定通信網２１０を介して、通信エリア内の他の基地局装置２０２ｂ（２０２ａ）のＤ２Ｄプロキシ機能部３０２に接続する。Ｄ２Ｄ機能部３０３は、端末装置２０１間にて行われるＤ２Ｄ通信と同じ通信方式にて、端末装置２０１ａ，２０１ｂと通信を行う機能部である。以下において、基地局装置２０２ａを適宜「自基地局」と称し、基地局装置２０２ｂを適宜「他基地局」と称する。
【００５０】
オペレータ局舎内装置２０３は、ＥＰＣ装置３１１（ＥＰＣ：Ｅｖｏｌｖｅｄ  Ｐａｃｋｅｔ  Ｃｏｒｅ）と、ＳＩＰ  ＡＳ／ＨＳＳ３１２（ＳＩＰ  ＡＳ：Ｓｅｓｓｉｏｎ  Ｉｎｉｔｉａｔｉｏｎ  Ｐｒｏｔｏｃｏｌ  Ａｐｐｌｉｃａｔｉｏｎ  Ｓｅｒｖｅｒ、ＨＳＳ：Ｈｏｍｅ  Ｓｕｂｓｃｒｉｂｅｒ  Ｓｅｒｖｅｒ）と、を有する。
【００５１】
ＥＰＣ装置３１１は、３ＧＰＰ（３ｒｄ  Ｇｅｎｅｒａｔｉｏｎ  Ｐａｒｔｎｅｒｓｈｉｐ  Ｐｒｏｊｅｃｔ）において規定されるＬＴＥコア装置である。３ＧＰＰは商標登録である。ＥＰＣ装置３１１は、基地局装置２０２からのＳ１インタフェースを終端する機能を有する。
【００５２】
ＳＩＰ  ＡＳ／ＨＳＳ３１２は、Ｄ２Ｄ通信を行うための端末装置２０１間の接続制御信号を中継する機能部である。ＳＩＰ  ＡＳ／ＨＳＳ３１２は、ＳＩＰ  ＡＳと、ＨＳＳと、を有する。ＳＩＰ  ＡＳは、端末装置２０１間のシグナリング／セッション処理および管理を行う。ＨＳＳは、加入者情報を管理する。固定通信網２１０は、基地局機能部３０１とＥＰＣ装置３１１とを接続する、広域Ｅｔｈｅｒｎｅｔ網や光ファイバ網などである。Ｅｔｈｅｒｎｅｔは登録商標である。
【００５３】
ここで、複数の端末装置２０１ａ，２０１ｂが、基地局装置２０２ａの通信エリア３２０ａにおいて、Ｄ２Ｄ通信を行っているものとする。Ｄ２Ｄ通信を行うにあたり、端末装置２０１ａおよび端末装置２０１ｂは、それぞれが構築するＤ２Ｄ通信エリア内に、相互に位置する。例えば、端末装置２０１ｂは、端末装置２０１ａのＤ２Ｄ通信エリア３３０に位置している。端末装置２０１の電波強度は、基地局装置２０２の電波強度よりも弱いため、例えば、端末装置２０１ａのＤ２Ｄ通信エリア３３０は、基地局装置２０２ａの通信エリア３２０ａよりも小さい範囲である。
【００５４】
端末装置２０１ｂが、端末装置２０１ａのＤ２Ｄ通信エリア３３０に位置している状態から、通信エリア３２０ａ内のＤ２Ｄ通信エリア３３０の外に移動したとする。すると、端末装置２０１ａと、端末装置２０１ｂと、の間では電波強度が弱くなるため、Ｄ２Ｄ通信を行うことが困難になる。そこで、基地局装置２０２ａがＤ２Ｄ通信の機能を代わりに行う。
【００５５】
具体的には、Ｄ２Ｄ機能部３０３が、Ｄ２Ｄ通信と同じ通信方式にて端末装置２０１ａおよび端末装置２０１ｂとの間における通信の中継（代替通信）を行うことにより、継続して通信を行う。これにより、端末装置２０１ａと端末装置２０１ｂとの間でＤ２Ｄ通信を行うことができなくなった場合でも、Ｄ２Ｄ通信と同一の通信方式である代替通信を行うため、端末装置２０１ａ，２０１ｂ間の通信を切断することなく、継続して通信を行うことができる。
【００５６】
図３Ｂは、実施の形態１にかかる無線アクセスシステムにおける通信の概要を示す説明図（その２）である。図３Ｂでは、端末装置２０１ｂが、基地局装置２０２ａの通信エリア３２０ａ外であり、基地局装置２０２ｂの通信エリア３２０ｂに移動した場合について説明する。
【００５７】
図３Ｂに示すように、端末装置２０１ｂが、端末装置２０１ａのＤ２Ｄ通信エリア３３０に位置している状態から、基地局装置２０２ｂの通信エリア３２０ｂに移動したとする。この場合、端末装置２０１ａと、端末装置２０１ｂと、の間ではＤ２Ｄ通信を行うことが困難になる。そこで、基地局装置２０２ａおよび基地局装置２０２ｂがＤ２Ｄ通信の機能を代わりに行う。
【００５８】
具体的には、基地局装置２０２ａおよび基地局装置２０２ｂの各Ｄ２Ｄプロキシ機能部３０２および各Ｄ２Ｄ機能部３０３が、Ｄ２Ｄ通信と同じ通信方式にて端末装置２０１ａおよび端末装置２０１ｂとの間における通信の中継（代替通信）を行う。これにより、端末装置２０１ａと端末装置２０１ｂとの間でＤ２Ｄ通信を行うことができなくなった場合でも、代替通信を行うため、端末装置２０１ａ，２０１ｂ間の通信を切断することなく、継続して通信を行うことができる。
【００５９】
（実施の形態１にかかる無線アクセスシステムの機能的構成の具体例）
図４は、実施の形態１にかかる無線アクセスシステムの機能的構成の具体例を示すブロック図である。図４に示すように、基地局装置２０２ａは、基地局無線部４０１と、トラフィックオフロード部４０２と、Ｄ２Ｄ無線送受信部４０３と、ＳＩＰ処理部４０４と、Ｄ２Ｄプロキシ部４０５と、状態通知／管理部４０６と、有線Ｉ／Ｆ部４０７（Ｉ／Ｆ：Ｉｎｔｅｒ  Ｆａｃｅ）を有する。
【００６０】
基地局無線部４０１は、端末装置２０１ａ，２０１ｂと、ＬＴＥ−Ａ方式で接続するための無線送受信部である。ＬＴＥ−Ａ方式には、ＦＤＤ（周波数分割複信：Ｆｒｅｑｕｅｎｃｙ  Ｄｉｖｉｓｉｏｎ  Ｄｕｐｌｅｘ）方式や、ＴＤＤ（時分割複信：Ｔｉｍｅ  Ｄｉｖｉｓｉｏｎ  Ｄｕｐｌｅｘ）方式がある。基地局無線部４０１は、トラフィックオフロード部４０２や、端末装置２０１の対基地局無線部４１１に接続するとともに、有線Ｉ／Ｆ部４０７を介してＥＰＣ装置３１１に接続する。
【００６１】
トラフィックオフロード部４０２は、３ＧＰＰの標準規格であるＳＩＰＴＯ（Ｓｅｌｅｃｔｅｄ  ＩＰ  Ｔｒａｆｆｉｃ  Ｏｆｆｌｏａｄ）などに対応しており、ユーザ端末の通信内容（ユーザトラフィック）をＤ２Ｄプロキシ部４０５へオフロードする。トラフィックオフロード部４０２がトラフィックオフロードを行わない場合は、全てのユーザ端末はＥＰＣ装置３１１へ接続されることになる。トラフィックオフロード部４０２は、基地局無線部４０１およびＤ２Ｄプロキシ部４０５に接続する。
【００６２】
Ｄ２Ｄ無線送受信部４０３は、Ｄ２Ｄ通信に対応している端末装置２０１ａ，２０１ｂとの間で代替通信を成立させるための無線送受信部である。例えば、Ｄ２Ｄ無線送受信部４０３は、ＴＤＤ等の無線方式に対応している。Ｄ２Ｄ無線送受信部４０３は、ＳＩＰ処理部４０４と、Ｄ２Ｄプロキシ部４０５と、状態通知／管理部４０６と、端末装置２０１のＤ２Ｄ無線送受信部４１２と、に接続する。
【００６３】
ＳＩＰ処理部４０４は、例えば後述するＤ２Ｄ未対応の端末装置２０１と、Ｄ２Ｄ対応の端末装置２０１ａ，２０１ｂと直接のデータ通信を実現するために、Ｄ２Ｄ通信向けのＳＩＰシグナリングを行う。具体的にはＳＩＰ処理部４０４は、オペレータ局舎内装置２０３のＳＩＰ  ＡＳ／ＨＳＳ３１２とＳＩＰシグナリングを行う。ＳＩＰ処理部４０４は、Ｄ２Ｄ無線送受信部４０３と、Ｄ２Ｄプロキシ部４０５と、有線Ｉ／Ｆ部４０７と、に接続する。
【００６４】
Ｄ２Ｄプロキシ部４０５は、自基地局の通信エリア内の端末装置２０１ａ，２０１ｂおよび他基地局の通信エリア内の端末装置２０１ａ，２０１ｂとのＤ２Ｄ通信を行うために、ユーザデータおよびＳＩＰシグナリングの中継をする。Ｄ２Ｄプロキシ部４０５は、トラフィックオフロード部４０２と、Ｄ２Ｄ無線送受信部４０３と、ＳＩＰ処理部４０４と、状態通知／管理部４０６と、有線Ｉ／Ｆ部４０７と、に接続する。
【００６５】
状態通知／管理部４０６は、自基地局の通信エリア内の端末装置２０１ａ，２０１ｂのリソース状況の情報を収集し管理する機能と、リソース状況の情報を他基地局に通知する機能と、他基地局からの通知を受信して管理する機能と、を有する。リソース状況は、例えば、接続端末名、回線の接続数、通信帯域使用率などである。状態通知／管理部４０６は、基地局無線部４０１と、Ｄ２Ｄ無線送受信部４０３と、Ｄ２Ｄプロキシ部４０５と、有線Ｉ／Ｆ部４０７と、に接続する。
【００６６】
有線Ｉ／Ｆ部４０７は、固定通信網２１０を介して、オペレータ局舎内装置２０３や基地局装置２０２ｂと通信するためのインタフェースである。有線Ｉ／Ｆ部４０７は、基地局無線部４０１と、ＳＩＰ処理部４０４と、Ｄ２Ｄプロキシ部４０５と、状態通知／管理部４０６と、固定通信網２１０と、に接続される。
【００６７】
端末装置２０１ａ，２０１ｂは、それぞれ、対基地局無線部４１１と、Ｄ２Ｄ無線送受信部４１２と、ＳＩＰ処理部４１３と、Ｄ２Ｄアプリケーション４１４と、を有する。対基地局無線部４１１は、ＦＤＤ方式またはＴＤＤ方式のＬＴＥ−Ａ方式に対応した通信部であり、基地局装置２０２の基地局無線部４０１との間で、無線によりデータの送受を行う。対基地局無線部４１１は、ＳＩＰ処理部４１３およびＤ２Ｄアプリケーション４１４に接続される。
【００６８】
Ｄ２Ｄ無線送受信部４１２は、基地局装置２０２のＤ２Ｄ無線送受信部４０３や、他の端末装置２０１のＤ２Ｄ無線送受信部４１２との間で、ＬＴＥ−Ａ方式のＤ２Ｄ通信によりデータの送受を行う。Ｄ２Ｄ無線送受信部４１２は、ＳＩＰ処理部４１３およびＤ２Ｄアプリケーション４１４に接続する。
【００６９】
ＳＩＰ処理部４１３は、Ｄ２Ｄ通信を行う上でのＳＩＰシグナリングを行う。具体的には、ＳＩＰ処理部４１３は、オペレータ局舎内装置２０３のＳＩＰ  ＡＳ／ＨＳＳ３１２とＳＩＰシグナリングを行う。ＳＩＰ処理部４１３は、対基地局無線部４１１と、Ｄ２Ｄ無線送受信部４１２と、Ｄ２Ｄアプリケーション４１４と、に接続する。
【００７０】
Ｄ２Ｄアプリケーション４１４は、端末装置２０１ａ，２０１ｂのアプリケーション実行領域において、Ｄ２Ｄ通信を行う際に実行されるアプリケーションである。Ｄ２Ｄアプリケーション４１４は、Ｄ２Ｄ無線送受信部４１２およびＳＩＰ処理部４１３に接続され、Ｄ２Ｄ通信によりデータ送受が可能である。また、Ｄ２Ｄアプリケーション４１４は、対基地局無線部４１１と接続し、基地局装置２０２ａの基地局無線部４０１とＤ２Ｄ通信と同じ通信方式により直接データを送受する構成とすることも可能である。
【００７１】
（無線アクセスシステムにおける通信経路の一例）
図５は、実施の形態１にかかる無線アクセスシステムにおける通信経路の一例を示す説明図（その１）である。なお、図５において、各機能部の名称は空欄にしている。例えば、Ｄ２Ｄ通信を行うために、端末装置２０１ａにおいて、ユーザの操作によりＤ２Ｄアプリケーション４１４が実行したとする。すると、端末装置２０１ａは、端末装置２０１ａのＳＩＰ処理部４１３の機能により、矢印５０１に示すように、対基地局無線部４１１→基地局無線部４０１→有線Ｉ／Ｆ４０７→ＥＰＣ装置３１１、を経由して、ＳＩＰ  ＡＳ／ＨＳＳ３１２にアクセスする。
【００７２】
そして、オペレータ局舎内装置２０３は、矢印５０２に示すように、ＥＰＣ装置３１１→有線Ｉ／Ｆ４０７→基地局無線部４０１→対基地局無線部４１１→ＳＩＰ処理部４１３、を経由して、端末装置２０１ｂの呼び出しを行う。このとき、基地局装置２０２ａは、Ｄ２Ｄ通信を確立させるための制御信号を端末装置２０１ａおよび端末装置２０１ｂに送信する。発信元の端末装置２０１ａと呼び出された端末装置２０１ｂは、端末装置２０１ａから制御信号を受信すると、双方のＤ２Ｄ無線送受信部４１２の機能によりサーチ信号（図６参照）を送受し、ハンドシェイクを行った後にＤ２Ｄ通信（Ｄ２Ｄベアラ）を確立する（図５の矢印５０３）。
【００７３】
Ｄ２Ｄ通信が確立すると、端末装置２０１ｂのＤ２Ｄアプリケーション４１４が、矢印５０４，５０５に示すように、状態通知／管理部４０６に対してＤ２Ｄ通信の利用状況を通知する。具体的には、Ｄ２Ｄアプリケーション４１４が、対基地局無線部４１１→基地局無線部４０１→トラフィックオフロード部４０２→Ｄ２Ｄプロキシ部４０５、を経由して、状態通知／管理部４０６に対してＤ２Ｄ通信の利用状況を通知する。これにより、端末装置２０１ａと端末装置２０１ｂとの間で、Ｄ２Ｄ通信を行う場合、基地局装置２０２ａは、状態通知／管理部４０６の機能によって通話時間やパケット量を管理することができる。
【００７４】
（サーチ信号のフォーマットの一例）
図６は、サーチ信号のフォーマットの一例を示す説明図である。図６に示すように、サーチ信号のフォーマット６００は、信号名と、ターゲット端末名と、ソース端末名と、Ｄ２Ｄサービス名と、を含む。信号名は、例えば、ターゲットとなる端末装置２０１をサーチして、Ｄ２Ｄ通信のサービスの要求を示す信号名称である。ターゲット端末名は、例えば着信側の端末装置２０１ｂを示す識別情報である。ソース端末名は、例えば発信側の端末装置２０１ａを示す識別情報である。Ｄ２Ｄサービス名は、ユーザが加入するサービスの種別を示しており、例えば利用金額に応じて通信速度が速いサービスや遅いサービスなどがある。
【００７５】
このようなフォーマット６００が、端末装置２０１ａから端末装置２０１ｂへ、また、端末装置２０１ａから基地局装置２０２ａ，２０２ｂへ、送信される。また、端末装置２０１ｂからも同様のフォーマット６００が端末装置２０１ａや基地局装置２０２ａ，２０２ｂへ送信される。また、受信側の端末装置２０１や基地局装置２０２ａ，２０２ｂでは、サーチ信号の強度を検出することができる。このようなフォーマット６００や受信強度を基に、端末装置２０１ａおよび端末装置２０１ｂは、Ｄ２Ｄ通信を行う。
【００７６】
（Ｄ２Ｄ通信の利用状況のフォーマットの一例）
図７は、Ｄ２Ｄ通信の利用状況のフォーマットの一例を示す説明図である。図７に示すように、Ｄ２Ｄ通信の利用状況のフォーマット７００は、図６のフォーマット６００に加えて、Ｄ２Ｄ通信状況と、Ｄ２Ｄ通信品質情報と、自基地局の通信品質情報と、他基地局の通信品質情報と、を含む。フォーマット７００は、端末装置２０１から逐次受信する。
【００７７】
Ｄ２Ｄ通信状況は、端末装置２０１ａにおいてＤ２Ｄ通信による通信が行われているか否かを示す。Ｄ２Ｄ通信品質情報は、例えば、端末装置２０１ａ，２０１ｂ同士のＤ２Ｄ通信において、端末装置２０１ａおよび端末装置２０１ｂ間の電波の受信強度レベルを示す。自基地局（基地局装置２０２ａ）の通信品質情報は、端末装置２０１ａや端末装置２０１ｂからのそれぞれの電波の受信強度レベルを示す。
【００７８】
他基地局（基地局装置２０２ｂ）の通信品質情報は、端末装置２０１ａが受信する他基地局からの、基地局ＩＤと、それぞれの電波の受信強度レベルと、を示す。基地局装置２０２は、端末装置２０１から逐次受信するサーチ信号などの信号を基にフォーマット７００を得ることもできる。
【００７９】
図８は、実施の形態１にかかる無線アクセスシステムにおける通信経路の一例を示す説明図（その２）である。基地局装置２０２ａ（自基地局）は、Ｄ２Ｄ通信の利用状況を示すフォーマット７００（図７参照）を用いて、２台の端末装置２０１ａ，２０１ｂ間のＤ２Ｄ通信の無線品質状況を確認する。例えば、状態通知／管理部４０６が受信した２台の端末装置２０１ａ，２０１ｂの利用状況からＤ２Ｄ通信品質情報(受信強度レベル)や、対基地局間の通信品質情報（自基地局の通信品質情報や他基地局（端末装置２０１ｂ）の通信品質情報)を確認する（図７参照）。
【００８０】
端末装置２０１ａ，２０１ｂ間のＤ２Ｄ通信の通信品質が低下しており、自基地局と２台の端末装置２０１ａ，２０１ｂの通信品質が良好な場合、端末装置２０１ａ，２０１ｂ間のＤ２Ｄを終了させ、基地局装置２０２ａとの間でのＤ２Ｄ通信に切替える。つまり、端末装置２０１ｂが、端末装置２０１ａのＤ２Ｄ通信エリア３３０（図３Ａ参照）の外に位置したものの、基地局装置２０２ａの通信エリア３２０ａ内に位置している場合、基地局装置２０２ａを介した代替通信に切替える。
【００８１】
具体的には、状態通知／管理部４０６が２台の端末装置２０１ａ，２０１ｂに対し、矢印８０１に示すように、Ｄ２Ｄ無線送受信部４０３とＤ２Ｄ無線送受信部４１２の間で通信（ベアラ）を確立させ、基地局装置２０２ａを介した代替通信に切替える。これにより、端末装置２０１ａと端末装置２０１ｂとの間でＤ２Ｄ通信を行うことができなくなった場合でも、Ｄ２Ｄ通信と同一の通信方式である代替通信を行うため、端末装置２０１ａ，２０１ｂ間の通信を切断することなく、継続して通信を行うことができる。
【００８２】
図９は、実施の形態１にかかる無線アクセスシステムにおける通信経路の一例を示す説明図（その３）である。基地局装置２０２ａ（自基地局）は、Ｄ２Ｄ通信の利用状況のフォーマット７００（図７参照）を用いて、２台の端末装置２０１ａ，２０１ｂ間のＤ２Ｄ通信の無線品質状況を確認する。
【００８３】
例えば、基地局装置２０２ａを介した代替通信に切替えた後、さらに、端末装置２０１ｂが自基地局（基地局装置２０２ａ）の通信エリア３２０ａの外に位置し、他基地局（基地局装置２０２ｂ）の通信エリア３２０ｂ内に位置したとする（図３Ｂ参照）。この場合、他基地局を介した代替通信に切替える。
【００８４】
具体的には、状態通知／管理部４０６が受信した端末装置２０１ａ，２０１ｂの利用状況から対基地局間の通信品質状況（自基地局の通信品質情報や他基地局の通信品質情報)を参照する。その結果、端末装置２０１ｂについて、自基地局との通信品質が低下しており、他基地局との通信品質が高い場合、状態通知／管理部４０６は、所定のメッセージ（図１０参照）により基地局装置２０２ｂとの代替通信の接続が可能か否かの確認を行う。
【００８５】
そして、所定のメッセージ（図１１参照）により、基地局装置２０２ｂからリソース状況などに問題がない旨の通知を受けた場合、状態通知／管理部４０６は、自基地局との代替通信を切断する。そして、他基地局に端末装置２０１ｂとの代替通信を確立するよう依頼する。一方で、基地局装置２０２ａと継続してＤ２Ｄ通信を行っている端末装置２０１ａからの通信は、矢印９０１に示すように、Ｄ２Ｄ無線送受信部４０３→Ｄ２Ｄプロキシ部４０５→有線Ｉ／Ｆ部４０７、を経由して基地局装置２０２ｂに転送することにより継続する。
【００８６】
これにより、端末装置２０１ａと端末装置２０１ｂとの間でＤ２Ｄ通信を行うことができなくなった場合や、基地局装置２０２ａと端末装置２０１ｂとの間の通信品質が低下した場合に、他基地局においても代替通信を行うことができる。そのため、Ｄ２Ｄ通信を開始した後に、Ｄ２Ｄ通信の品質が低下した後も、端末装置２０１ａ，２０１ｂ間の通信を切断することなく、継続して通信を行うことができる。ここで、他基地局（基地局装置２０２ｂ）に対してＤ２Ｄ通信の接続が可能か確認するメッセージの一例を以下に示す。
【００８７】
（他基地局に対して代替通信の接続が可能か確認するメッセージの一例）
図１０は、他基地局に対して代替通信の接続が可能か確認するメッセージの一例を示す説明図である。図１０に示すように、メッセージ１０００は、信号名と、ターゲット端末名と、ソース端末名と、Ｄ２Ｄサービス名と、を有する。信号名は、Ｄ２Ｄ通信の接続を依頼するための、接続の確認要求を示す信号名称である。ターゲット端末名は、例えば端末装置２０１ｂを示す識別情報である。
【００８８】
ソース端末名は、例えば端末装置２０１ａを示す識別情報である。Ｄ２Ｄサービス名は、例えばサービスの種別を示す。自基地局と１台の端末装置２０１ｂとの通信品質が低下している場合、メッセージ１０００が自基地局から他基地局へ送信される。
【００８９】
（他基地局からのＤ２Ｄ通信の接続可否メッセージの一例）
図１１は、他基地局からのＤ２Ｄ通信の接続可否メッセージの一例を示す説明図である。図１１に示すように、メッセージ１１００は、信号名と、確認結果と、を有する。信号名は、Ｄ２Ｄ通信の確認結果を回答するための、確認結果を示す信号名称である。確認結果は、Ｄ２Ｄ通信が可能か否かを示す。このようなメッセージ１１００が他基地局から自基地局へ送信される。
【００９０】
（端末装置、基地局装置およびオペレータ局舎内装置等のコンピュータ装置のハードウェア構成の一例）
図１２は、コンピュータ装置のハードウェア構成の一例を示す図である。図１２に示すように、端末装置２０１、基地局装置２０２およびオペレータ局舎内装置２０３等のコンピュータ装置１２００は、ＣＰＵ（Ｃｅｎｔｒａｌ  Ｐｒｏｃｅｓｓｉｎｇ  Ｕｎｉｔ）１２０１と、メモリ１２０２と、ユーザインタフェース１２０３と、通信インタフェース１２０４と、を備えている。ＣＰＵ１２０１、メモリ１２０２、ユーザインタフェース１２０３および通信インタフェース１２０４は、バス１２０９によって接続されている。
【００９１】
ＣＰＵ１２０１は、コンピュータ装置１２００の全体の制御を司る。メモリ１２０２には、例えばメインメモリおよび補助メモリが含まれる。メインメモリは、例えばＲＡＭ（Ｒａｎｄｏｍ  Ａｃｃｅｓｓ  Ｍｅｍｏｒｙ）である。メインメモリは、ＣＰＵ１２０１のワークエリアとして使用される。補助メモリは、例えば磁気ディスク、光ディスク、フラッシュメモリなどの不揮発メモリである。補助メモリには、コンピュータ装置１２００を動作させる各種のプログラムが記憶されている。補助メモリに記憶されたプログラムは、メインメモリにロードされてＣＰＵ１２０１によって実行される。
【００９２】
ユーザインタフェース１２０３は、例えば、ユーザからの操作入力を受け付ける入力デバイスや、ユーザへ情報を出力する出力デバイスなどを含む。入力デバイスは、例えば、タッチパネルやキー（例えばキーボード）やリモコンなどによって実現することができる。出力デバイスは、例えば、タッチパネルやディスプレイやスピーカなどによって実現することができる。ユーザインタフェース１２０３は、ＣＰＵ１２０１によって制御される。
【００９３】
通信インタフェース１２０４は、例えば、無線や有線によってコンピュータ装置１２００の外部装置との間で通信を行う通信インタフェースである。通信インタフェース１２０４は、ＣＰＵ１２０１によって制御される。
【００９４】
図１に示した、受信部１１１と、送信部１１２と、取得部１１３と、中継部１１４と、送信部１２１と、受信部１２２と、制御部１２３とは、メモリ１２０２に記憶されたプログラムをＣＰＵ１２０１に実行させることにより、または、ユーザインタフェース１２０３により、その機能を実現する。また、各機能部の処理結果は、メモリ１２０２に記憶される。
【００９５】
また、図４に示したＥＰＣ装置３１１およびＳＩＰ  ＡＳ／ＨＳＳ３１２、トラフィックオフロード部４０２、ＳＩＰ処理部４０４、Ｄ２Ｄプロキシ部４０５、状態通知／管理部４０６、ＳＩＰ処理部４１３、Ｄ２Ｄアプリケーション４１４は、メモリ１２０２に記憶されたプログラムをＣＰＵ１２０１に実行させることにより、またはメモリ１２０２によりその機能を実現する。また、図４に示した、基地局無線部４０１、Ｄ２Ｄ無線送受信部４０３、有線Ｉ／Ｆ部４０７、対基地局無線部４１１およびＤ２Ｄ無線送受信部４１２は、通信インタフェース１２０４によって実現される。
【００９６】
（通信品質に基づく回線の切替え判断のアルゴリズム例）
図１３は、通信品質に基づく回線の切替え判断のアルゴリズム例を示すフローチャートである。図１３に示すように、基地局装置２０２ａは、端末装置２０１ａ，２０１ｂ間のＤ２Ｄ通信が開始したか否かを判断する（ステップＳ１３０１）。基地局装置２０２ａは、端末装置２０１ａ，２０１ｂ間のＤ２Ｄ通信が開始するまで待機する（ステップＳ１３０１：Ｎｏ）。端末装置２０１ａ，２０１ｂ間のＤ２Ｄ通信が開始すると（ステップＳ１３０１：Ｙｅｓ）、基地局装置２０２ａは、Ｄ２Ｄ通信の品質が良好であるか否かを判断する（ステップＳ１３０２）。
【００９７】
ステップＳ１３０２では、フォーマット７００（図７参照）のＤ２Ｄ通信品質情報を参照し、例えば、端末装置２０１ａおよび端末装置２０１ｂ間の電波の受信強度レベルが−１００ｄＢｍ以下であるか否かを判断する。Ｄ２Ｄ通信の品質が良好である場合（ステップＳ１３０２：Ｙｅｓ）、基地局装置２０２ａは、Ｄ２Ｄ通信を継続させ（ステップＳ１３０３）、ステップＳ１３０９に移行する。
【００９８】
Ｄ２Ｄ通信の品質が良好ではない場合（ステップＳ１３０２：Ｎｏ）、基地局装置２０２ａは、自基地局と端末装置２０１ａ，２０１ｂとの通信品質がいずれも良好であるか否かを判断する（ステップＳ１３０４）。ステップＳ１３０４では、具体的には、基地局装置２０２ａは、フォーマット７００（図７参照）の自基地局の通信品質情報を参照し、例えば、端末装置２０１ａ，２０１ｂからの各電波の受信強度レベルが−１００ｄＢｍ以下であるか否かを判断する。
【００９９】
自基地局と端末装置２０１ａ，２０１ｂとの通信品質がいずれも良好である場合（ステップＳ１３０４：Ｙｅｓ）、基地局装置２０２ａは、代替通信を確立させ（ステップＳ１３０５）、ステップＳ１３０９に移行する。代替通信は、自基地局（基地局装置２０２ａ）を介在させてＤ２Ｄ通信の通信方式と同一の通信方式である。自基地局と端末装置２０１ａまたは自基地局と端末装置２０１ｂのいずれか一方の通信品質が良好ではない場合（ステップＳ１３０４：Ｎｏ）、基地局装置２０２ａは、他基地局との通信品質が良好であるか否かを判断する（ステップＳ１３０６）。
【０１００】
ステップＳ１３０６では、具体的には、自基地局との通信品質が良好ではない端末装置２０１と他基地局との通信品質が良好であるか否かを判断する。例えば、基地局装置２０２ａは、フォーマット７００（図７参照）の他基地局の通信品質情報を参照し、端末装置２０１ａ，２０１ｂの電波のそれぞれについて他基地局における受信強度レベルが−１００ｄＢｍ以下であるか否かを判断する。自基地局との通信品質が良好ではない端末装置２０１と他基地局との通信品質が良好である場合（ステップＳ１３０６：Ｙｅｓ）、基地局装置２０２ａは、Ｄ２Ｄ通信と同一の通信方式である他基地局による代替通信を確立させ（ステップＳ１３０７）、ステップＳ１３０９に移行する。
【０１０１】
自基地局との通信品質が良好ではない端末装置２０１と他基地局との通信品質が良好ではない場合（ステップＳ１３０６：Ｎｏ）、基地局装置２０２ａは、通信を終了させ（ステップＳ１３０８）、本フローチャートによる一連の処理を終了する。ステップＳ１３０９において、基地局装置２０２ａは、端末装置２０１ａ，２０１ｂ間のＤ２Ｄ通信中であるか否かを判断する（ステップＳ１３０９）。
【０１０２】
端末装置２０１ａ，２０１ｂ間のＤ２Ｄ通信中である場合（ステップＳ１３０９：Ｙｅｓ）、基地局装置２０２ａは、ステップＳ１３０２に移行する。端末装置２０１ａ，２０１ｂ間のＤ２Ｄ通信中ではない場合（ステップＳ１３０９：Ｎｏ）、基地局装置２０２ａは、自基地局による代替通信中であるか否かを判断する（ステップＳ１３１０）。自基地局による代替通信中である場合（ステップＳ１３１０：Ｙｅｓ）、基地局装置２０２ａは、ステップＳ１３０４に移行する。自基地局による代替通信中ではない場合（ステップＳ１３１０：Ｎｏ）、すなわち、他基地局による代替通信中である場合、基地局装置２０２ａは、ステップＳ１３０６に移行する。
【０１０３】
上述した処理では、自基地局による代替通信から他基地局による代替通信への遷移を示したが、例えば自基地局による通信品質が回復した場合に、他基地局による代替通信から自基地局による代替通信へ遷移させてもよい。例えば、ステップＳ１３０８の直前に「自基地局との通信品質が良好か否か」の判断のステップを挿入し、良好な場合にステップＳ１３０５に移行させ、良好ではない場合にステップＳ１３０８に移行させればよい。また、端末装置２０１ａ，２０１ｂ間の通信品質が回復した場合には、端末装置２０１ａ，２０１ｂ間のＤ２Ｄ通信を再開させてもよい。
【０１０４】
（実施の形態１にかかる無線アクセスシステムの動作シーケンスの一例）
図１４は、端末装置間のＤ２Ｄ通信を開始して、端末装置間のＤ２Ｄ通信から自基地局による通信に切替える動作の一例を示すシーケンス図である。図１４に示すように、端末装置２０１ａは、基地局装置２０２ａを介してオペレータ局舎内装置２０３にＤ２Ｄ通信の接続要求を行う（ステップＳ１４０１）。
【０１０５】
これを受けて、オペレータ局舎内装置２０３は、端末装置２０１ｂにＤ２Ｄ接続要求を行う（ステップＳ１４０２）。このとき、基地局装置２０２ａは、Ｄ２Ｄ通信を確立させるための制御信号を端末装置２０１ａおよび端末装置２０１ｂに送信する。そして、端末装置２０１ａおよび端末装置２０１ｂ相互間で、フォーマット６００（図６参照）を含むサーチ信号により、セルサーチおよびハンドシェイクを行って（ステップＳ１４０３）、Ｄ２Ｄ通信を確立する。次に、端末装置２０１ａおよび端末装置２０１ｂは、それぞれ、利用状況および無線品質を基地局装置２０２ａに通知する（ステップＳ１４０４）。
【０１０６】
基地局装置２０２ａは、利用状況および無線品質の通知結果を用いて、フォーマット７００（図７参照）を取得し、無線品質の確認を行う（ステップＳ１４０５）。無線品質の確認の結果、Ｄ２Ｄ通信の品質が低下した場合、基地局装置２０２ａは、オペレータ局舎内装置２０３に、自基地局を介するＤ２Ｄ通信と同一の通信方式の代替通信の接続要求を行う（ステップＳ１４０６）。
【０１０７】
接続要求があると、オペレータ局舎内装置２０３は、端末装置２０１ａおよび端末装置２０１ｂに代替通信の接続要求を行う（ステップＳ１４０７）。そして、端末装置２０１ａおよび基地局装置２０２ａ、端末装置２０１ｂおよび基地局装置２０２ａは、それぞれ、セルサーチおよびハンドシェイクを行う（ステップＳ１４０８）。
【０１０８】
そして、端末装置２０１ａと自基地局との間および端末装置２０１ｂと自基地局との間の通信品質がいずれも良好である場合、無線アクセスシステム１００は、代替通信を確立し、通信距離を延長してコミュニケーションを継続する（ステップＳ１４０９）。このように、端末装置２０１ａと端末装置２０１ｂとの間でＤ２Ｄ通信を行うことができなくなった場合でも、Ｄ２Ｄ通信と同一の通信方式である代替通信を行うため、端末装置２０１ａ，２０１ｂ間の通信を切断することなく、継続して通信を行うことができる。
【０１０９】
図１５は、端末装置間のＤ２Ｄ通信を開始して、端末装置間のＤ２Ｄ通信から他基地局による通信に切替える動作の一例を示すシーケンス図である。図１５の説明において、図１４において説明した内容と同内容の箇所については、同一の符号を付すとともに、説明を省略する。
【０１１０】
図１５に示すステップＳ１４０８のセルサーチおよびハンドシェイクの結果、自基地局と端末装置２０１ａ，２０１ｂのうちのいずれか一方（端末装置２０１ｂ）との間の通信品質が低下しており、いずれか一方と代替通信を行えない場合がある。この場合、基地局装置２０２ａは、他基地局（基地局装置２０２ｂ）に、メッセージ１０００により端末装置２０１ｂについて代替通信の接続可否確認を行う（ステップＳ１５０１）。
【０１１１】
他基地局は、フォーマット７００を参照して代替通信が可能な場合、オペレータ局舎内装置２０３に、他基地局による代替通信の接続要求を行う（ステップＳ１５０２）。これを受けて、オペレータ局舎内装置２０３は、端末装置２０１ｂに代替通信接続要求を行う（ステップＳ１５０３）。そして、端末装置２０１ｂおよび他基地局は、それぞれ、セルサーチおよびハンドシェイクを行う（ステップＳ１５０４）。
【０１１２】
無線アクセスシステム１００は、自基地局による代替通信および他基地局による代替通信を確立し、通信距離を延長してコミュニケーションを継続する（ステップＳ１４０９）。このように、一方の端末装置２０１が自基地局の通信エリア外に位置し、自基地局による代替通信を行うことができない場合でも、他基地局による代替通信を行うため、端末装置２０１間の通信を切断することなく、継続して通信を行うことができる。
【０１１３】
このように、実施の形態１によれば、Ｄ２Ｄ通信の通信方式を用いた端末装置２０１ａと端末装置２０１ｂとの通信の安定化を図ることができるとともに、他の周波数帯域を圧迫しないようにすることができ、周波数帯域を有効活用することができる。
【０１１４】
（実施の形態２）
次に、実施の形態２について説明する。実施の形態２では、端末装置２０１間のＤ２Ｄ通信を行っている際に、自基地局の通信回線に空きがある場合、自基地局を介した代替通信および対基地局通信を行う構成について説明する。なお、以下の説明において、実施の形態１において説明した内容については同様の符号を付し、説明を省略する。
【０１１５】
まず、図１を参照し、実施の形態２の概要について説明する。図１に示す中継部１１４は、第１の回線と第２の回線とを同時に用いて第１の端末装置１２０ａと第２の端末装置１２０ｂとの間の通信の中継を行う。第１の回線は、所定の通信方式によって第１の端末装置１２０ａおよび第２の端末装置１２０ｂとの間でそれぞれ無線通信することによって形成される。所定の通信方式とは、Ｄ２Ｄ通信の通信方式である。
【０１１６】
第２の回線は、所定の通信方式とは異なる通信方式によって第１の端末装置１２０ａおよび第２の端末装置１２０ｂとの間でそれぞれ無線通信することによって形成される。所定の通信方式とは異なる通信方式とは、ＲＲＣなどの対基地局通信の通信方式である。基地局装置１１０は、例えば、第１の回線および第２の回線をそれぞれ独立して同時に使用することもできるし、第１の回線および第２の回線を結合して同時に使用することもできる。第１の回線および第２の回線を同時に用いた通信の中継は、例えば、キャリアアグリゲーションによる中継である。
【０１１７】
具体的には、取得部１１３は、直接の無線通信と同一の所定の通信方式により第１の端末装置１２０ａおよび第２の端末装置１２０ｂとの間でそれぞれ通信（代替通信）を行うための空き回線の有無を示す情報を取得する。空き回線の有無を示す情報とは、例えば、空き回線数の情報である。
【０１１８】
中継部１１４は、取得部１１３によって取得された情報に基づいて、それぞれに空き回線がある場合に、第１の端末装置１２０ａと第２の端末装置１２０ｂとの間の通信の中継を行う。この場合、中継部１１４は、所定の通信方式によって第１の端末装置１２０ａおよび第２の端末装置１２０ｂとの間でそれぞれ無線通信する。
【０１１９】
これにより、空き回線がある場合には、第１の端末装置１２０ａと第２の端末装置１２０ｂとの間の無線伝搬品質にかかわらず、直接の無線通信を代替通信に切替えることができる。したがって、直接の無線通信に比べて高品質の通信を行うことができる。
【０１２０】
また、取得部１１３は、所定の通信方式とは異なる通信方式により第１の端末装置１２０ａおよび第２の端末装置１２０ｂとの間でそれぞれ通信を行うための空き回線の有無を示す情報を取得する。また、中継部１１４は、取得部１１３によって取得された情報に基づいて、次の条件を満たす場合に、複数（２つ）の回線を同時に用いて通信の中継を行う。
【０１２１】
条件とは、所定の通信方式による通信を行うための空き回線があり且つ所定の通信方式とは異なる通信方式による通信を行うための空き回線があることである。具体的には、条件は、通信方式毎に、第１の端末装置１２０ａおよび第２の端末装置１２０ｂに対応する２つの空き回線があるということである。
【０１２２】
２つの回線のうち一方の回線は、所定の通信方式によって第１の端末装置１２０ａおよび第２の端末装置１２０ｂとの間でそれぞれ無線通信することにより第１の端末装置１２０ａと第２の端末装置１２０ｂとの間の通信の中継を行う第１の回線である。
【０１２３】
他方の回線は、同一通信方式とは異なる通信方式によって第１の端末装置１２０ａおよび第２の端末装置１２０ｂとの間でそれぞれ無線通信することにより第１の端末装置１２０ａと第２の端末装置１２０ｂとの間の通信の中継を行う第２の回線である。
【０１２４】
図１６は、実施の形態２にかかる無線アクセスシステムにおける通信の概要を示す説明図である。図１６において、複数の端末装置２０１ａ，２０１ｂが、基地局装置２０２ａの通信エリア３２０ａにおいて、Ｄ２Ｄ通信を行っているものとする。
【０１２５】
この状態において、基地局装置２０２ａは、基地局機能部３０１における対基地局通信を行うための回線、および、Ｄ２Ｄ機能部３０３における代替通信を行うための回線、にそれぞれ２回線以上空きがあるとする。すなわち、各回線について、端末装置２０１ａと、端末装置２０１ｂとの分の、２つずつの空きがあるとする。この場合、端末装置２０１ａおよび端末装置２０１ｂは、それぞれ、基地局装置２０２ａによる新たな通信を確立する。これにより、基地局機能部３０１を介した対基地局通信と、Ｄ２Ｄ機能部３０３を介した代替通信と、の２つの通信を結合した広帯域通信を行うことができる。
【０１２６】
（無線アクセスシステムにおける通信経路の一例）
図１７Ａは、実施の形態２にかかる無線アクセスシステムにおける通信経路の一例を示す説明図である。なお、図１７Ａにおいて、各機能部の名称は空欄にしている。図５に示した手順により、端末装置２０１ａと端末装置２０１ｂとの間で、Ｄ２Ｄ通信が確立しているものとする。この状況において、基地局装置２０２ａがリソース状況を確認し、対基地局通信とＤ２Ｄ通信の双方を確立できるか判断する。
【０１２７】
状態通知／管理部４０６が基地局無線部４０１およびＤ２Ｄ無線送受信部４０３から逐次、通信リソース状況（図１７Ｂ参照）を取得する（矢印１７１１および矢印１７１２参照）。そして、状態通知／管理部４０６は、基地局無線部４０１およびＤ２Ｄ無線送受信部４０３のそれぞれに空きリソースがあるか否かを判断する。通信リソース状況は、例えば、使用可能な残りの回線数を得ることができる値であり、例えば、使用可能な最大の回線数と、現在使用中の回線数と、の各値である。空きリソースとは、例えば、使用可能な回線が２本以上あることである。
【０１２８】
空きリソースがある場合、基地局装置２０２ａは、対基地局通信とＤ２Ｄ通信とを同時に確立する。Ｄ２Ｄプロキシ部４０５は、それぞれの通信を結合することにより、広帯域の通信とすることができる。
【０１２９】
例えば、状態通知／管理部４０６は、２台の端末装置２０１ａ，２０１ｂとの２つの通信を確立させる。２つの通信とは、矢印１７０１に示す基地局無線部４０１と対基地局無線部４１１との対基地局通信（ベアラ）、および、矢印１７０２に示すＤ２Ｄ無線送受信部４０３とＤ２Ｄ無線送受信部４１２との間のＤ２Ｄ通信、である。
【０１３０】
対基地局通信の信号は、矢印１７０３に示すように、トラフィックオフロード部４０２→Ｄ２Ｄプロキシ部４０５→Ｄ２Ｄ無線送受信部４０３、の経路で伝送される。これにより、２台の端末装置２０１ａ，２０１ｂは、対基地局通信とＤ２Ｄ通信の２つの通信を結合した広帯域通信でコミュニケーションを取ることが可能になる。
【０１３１】
（リソース状況のフォーマットの一例）
図１７Ｂは、リソース状況のフォーマットの一例を示す説明図である。図１７Ｂに示すように、リソース状況のフォーマット１７２０は、通信リソース種別と、値と、を含む。通信リソース種別は、基地局無線部４０１またはＤ２Ｄ無線送受信部４０３を示す。値は、使用可能な残りの回線数を得ることができる値であり、例えば、使用可能な最大の回線数を示す値と、現在使用中の回線数を示す値と、である。基地局装置２０２ａは、このようなフォーマット１７２０を参照することにより、それぞれに２つ以上空きがある場合に、対基地局通信と代替通信との２つの通信を確立させることができる。
【０１３２】
（空きリソースに基づく回線の確立のアルゴリズム例）
図１８は、空きリソースに基づく回線の確立のアルゴリズム例を示すフローチャートである。図１８に示すように、基地局装置２０２ａは、端末装置２０１ａ，２０１ｂ間のＤ２Ｄ通信が開始したか否かを判断する（ステップＳ１８０１）。基地局装置２０２ａは、端末装置２０１ａ，２０１ｂ間のＤ２Ｄ通信が開始するまで待機する（ステップＳ１８０１：Ｎｏ）。端末装置２０１ａ，２０１ｂ間のＤ２Ｄ通信が開始すると（ステップＳ１８０１：Ｙｅｓ）、基地局装置２０２ａは、基地局無線部４０１の空き回線が２回線以上あるか否かを判断する（ステップＳ１８０２）。
【０１３３】
基地局無線部４０１の空き回線が２回線以上ない場合（ステップＳ１８０２：Ｎｏ）、基地局装置２０２ａは、端末装置２０１ａ，２０１ｂ間のＤ２Ｄ通信を継続させる（ステップＳ１８０３）。次に、基地局装置２０２ａは、端末装置２０１ａ，２０１ｂ間のＤ２Ｄ通信が終了したか否かを判断する（ステップＳ１８０４）。
【０１３４】
Ｄ２Ｄ通信が終了していない場合（ステップＳ１８０４：Ｎｏ）、基地局装置２０２ａは、ステップＳ１８０２に移行する。Ｄ２Ｄ通信が終了した場合（ステップＳ１８０４：Ｙｅｓ）、基地局装置２０２ａは、本フローチャートによる一連の処理を終了する。ステップＳ１８０２において、基地局無線部４０１の空き回線が２回線以上ある場合（ステップＳ１８０２：Ｙｅｓ）、Ｄ２Ｄ無線送受信部４０３の空き回線が２回線以上あるか否かを判断する（ステップＳ１８０５）。
【０１３５】
Ｄ２Ｄ無線送受信部４０３の空き回線が２回線以上ない場合（ステップＳ１８０５：Ｎｏ）、基地局装置２０２ａは、ステップＳ１８０３に移行する。Ｄ２Ｄ無線送受信部４０３の空き回線が２回線以上ある場合（ステップＳ１８０５：Ｙｅｓ）、基地局装置２０２ａは、対基地局通信とＤ２Ｄ通信の２つの通信を確立させる（ステップＳ１８０６）。なお、Ｄ２Ｄ無線送受信部４０３の空き回線が２回線以上ある場合であっても、例えば、ユーザが加入するＤ２Ｄサービス名（図７のフォーマット７００参照）などに応じて、端末装置２０１ａ，２０１ｂ間のＤ２Ｄ通信を継続させてもよい。次に、基地局装置２０２ａは、通信が終了したか否かを判断する（ステップＳ１８０７）。
【０１３６】
基地局装置２０２ａは、通信が終了するまで待機し（ステップＳ１８０７：Ｎｏ）、通信が終了すると（ステップＳ１８０７：Ｙｅｓ）、本フローチャートによる一連の処理を終了する。なお、基地局無線部４０１に空きリソースが２回線以上ない場合であっても、端末装置２０１ａ，２０１ｂ間のＤ２Ｄ通信の品質が低下した場合には、Ｄ２Ｄ無線送受信部４０３に空きリソースが２回線以上あれば、代替通信を行ってもよい。
【０１３７】
（実施の形態２にかかる無線アクセスシステムの動作シーケンスの一例）
図１９は、端末装置間のＤ２Ｄ通信を開始して、対基地局通信とＤ２Ｄ通信の２つの通信を確立させる動作の一例を示すシーケンス図である。図１９に示すように、ステップＳ１４０１〜Ｓ１４０４により、Ｄ２Ｄ通信が確立する。Ｄ２Ｄ通信が確立すると、基地局装置２０２ａは、リソースの確認を行う（ステップＳ１９０１）。リソースを確認した結果、基地局無線部４０１およびＤ２Ｄ無線送受信部４０３にそれぞれ２つずつの空きがあると、基地局装置２０２ａは、基地局装置２０２ａを介した代替通信を行うための接続要求を行う（ステップＳ１４０６）。
【０１３８】
そして、上述したステップＳ１４０７〜Ｓ１４０８の各ステップを行い、基地局機能部３０１を介した対基地局通信と、Ｄ２Ｄ機能部３０３を介し代替通信と、の２つの通信を結合した広帯域通信を開始する（ステップＳ１９０２）。
【０１３９】
実施の形態２によれば、対基地局通信と代替通信との２つを結合した広帯域の通信を行うことができるため、通信速度を向上させることができる。
【０１４０】
（実施の形態３）
次に、実施の形態３について説明する。実施の形態３では、端末装置２０１ａおよび端末装置２０１ｂがＤ２Ｄ通信を行うことができない程度に離れており、基地局装置２０２ａまたは基地局装置２０２ｂを介した代替通信を開始させる構成について説明する。具体的には、端末装置２０１ａおよび端末装置２０１ｂが相互にサーチ信号が届かない程度に離れている場合に、代替通信を開始させる構成について説明する。
【０１４１】
図２０Ａは、実施の形態３にかかる無線アクセスシステムにおける通信の概要を示す説明図（その１）である。図２０Ａにおいて、端末装置２０１ａおよび端末装置２０１ｂが、いずれも基地局装置２０２ａの通信エリア３２０ａに位置しているものとする。また、端末装置２０１ｂは、端末装置２０１ａのＤ２Ｄ通信エリア３３０の外に位置している。この状態では、端末装置２０１ａと端末装置２０１ｂとは、相互にサーチ信号が届かず、Ｄ２Ｄ通信を行うことができない。そこで、基地局装置２０２ａが、代替通信を行うことにより、Ｄ２Ｄ通信の通信方式と同一の通信方式にて、端末装置２０１ａおよび端末装置２０１ｂが通信できる。
【０１４２】
図２０Ｂは、実施の形態３にかかる無線アクセスシステムにおける通信の概要を示す説明図（その２）である。図２０Ｂにおいて、端末装置２０１ａが、基地局装置２０２ａの通信エリア３２０ａに位置しているものとする。また、端末装置２０１ｂが、基地局装置２０２ｂの通信エリア３２０ｂに位置しているものとする。この状態でも、図２０Ａと同様に、端末装置２０１ａと端末装置２０１ｂとは、相互にサーチ信号が届かず、Ｄ２Ｄ通信を行うことができない。そこで、基地局装置２０２ａ，２０２ｂが、代替通信を行うことにより、Ｄ２Ｄ通信の通信方式と同一の通信方式にて、端末装置２０１ａおよび端末装置２０１ｂが通信できる。
【０１４３】
（無線アクセスシステムにおける通信経路の一例）
図２１は、実施の形態３にかかる無線アクセスシステムにおける通信経路の一例を示す説明図である。なお、図２１において、各機能部の名称は空欄にしている。端末装置２０１ａにおいて、ユーザの操作によりＤ２Ｄアプリケーション４１４が実行したとする。すると、端末装置２０１ａは、端末装置２０１ａのＳＩＰ処理部４１３の機能により、矢印５０１に示すように、対基地局無線部４１１→基地局無線部４０１→有線Ｉ／Ｆ４０７→ＥＰＣ装置３１１、を経由して、ＳＩＰ  ＡＳ／ＨＳＳ３１２にアクセスする。
【０１４４】
端末装置２０１ｂが自基地局の通信エリアに位置する場合、オペレータ局舎内装置２０３は、矢印５０２に示すように、ＥＰＣ装置３１１→有線Ｉ／Ｆ４０７→基地局無線部４０１→対基地局無線部４１１→ＳＩＰ処理部４１３により端末装置２０１ｂを呼び出す。自基地局は、端末装置２０１ａ，２０１ｂから、Ｄ２Ｄ無線送受信部４１２の機能によりサーチ信号（図６参照）を送受する。
【０１４５】
サーチ信号は、ターゲット端末名、ソース端末名、Ｄ２Ｄサービス内容等を含む。ターゲット端末名とソース端末名は、例えば、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）等のユニークなＩＤである。自基地局は、サーチ信号を受信すると、通信エリア３２０ａ内の端末装置２０１ａおよび端末装置２０１ｂの関係を確認する。具体的には、状態通知／管理部４０６は、自基地局の通信エリア内で受信したサーチ信号の情報をそれぞれ照会し、ターゲット端末名とソース端末名との関係が一致しているか否かを確認する。一致していた場合は、代替通信を確立する。
【０１４６】
具体的には、ターゲット端末名とソース端末名との関係が一致していた場合、端末装置２０１ａと端末装置２０１ｂとの間で、代替通信を確立する。より具体的には、状態通知／管理部４０６が対象の端末装置２０１ａおよび端末装置２０１ｂに対し、それぞれ、Ｄ２Ｄ無線送受信部４０３とＤ２Ｄ無線送受信部４１２との間で通信（ベアラ）を確立させる制御を行って、代替通信を確立する。
【０１４７】
図８の矢印８０１に示すように、状態通知／管理部４０６が２台の端末装置２０１ａ，２０１ｂに対し、Ｄ２Ｄ無線送受信部４０３とＤ２Ｄ無線送受信部４１２の間で通信（ベアラ）を確立させ、基地局装置２０２ａを介した代替通信が行われる。これにより、Ｄ２Ｄ通信が行うことができない程度に離れている自基地局内の２台の端末装置２０１ａ，２０１ｂを代替通信によって通信距離を拡張してコミュニケーションを確立することが可能になる。
【０１４８】
端末装置２０１ｂが他基地局の通信エリアに位置する場合、オペレータ局舎内装置２０３は、矢印２１０１のように、ＥＰＣ装置３１１→他基地局の有線Ｉ／Ｆ、基地局無線部→対基地局無線部４１１→ＳＩＰ処理部４１３、により端末装置２０１ｂを呼び出す。発信元の端末装置２０１ａと呼び出された端末装置２０１ｂは、双方のＤ２Ｄ無線送受信部４１２の機能によりサーチ信号（図６参照）を送受する。
【０１４９】
サーチ信号は、基地局装置２０２ａおよび基地局装置２０２ｂにおいて受信される。基地局装置２０２ａおよび基地局装置２０２ｂは、受信したサーチ信号を互いに転送する。具体的には、矢印２１０２に示すように、基地局装置２０２ａは、端末装置２０１ａからのサーチ信号をＤ２Ｄ無線送受信部４０３にて受信する。
【０１５０】
Ｄ２Ｄ無線送受信部４０３にてサーチ信号を受信後、状態通知／管理部４０６は、有線Ｉ／Ｆ部４０７を介して、他基地局へサーチ情報を送信する。他基地局とは、例えば、事前に指定されたリストに基づく全ての他基地局であり、自動検知した周囲の他基地局、ＬＴＥ規格の隣接基地局間に基づく他基地局、などである。
【０１５１】
自基地局は、他基地局からサーチ信号を受信し、通信エリア内のＤ２Ｄ端末との関係を確認する。具体的には、状態通知／管理部４０６は、他基地局から送信されたサーチ情報（ターゲット端末名、ソース端末名、Ｄ２Ｄサービス内容など）を、有線Ｉ／Ｆ部４０７を経由して受信する。
【０１５２】
状態通知／管理部４０６は、他基地局から受信したサーチ信号と、自基地局の通信エリア内で受信したサーチ信号の情報とを照会し、ターゲット端末名とソース端末名との関係が一致しているか否かを確認する。一致していた場合は、受信したサーチ信号の送信元となる基地局に対してＤ２Ｄ通信を確立するように通知する。
【０１５３】
関係が一致していた場合、他基地局の通信エリア内の端末装置２０１ｂと、自基地局の通信エリア内の端末装置２０１ａとの間で、代替通信を確立する。具体的には、状態通知／管理部４０６が対象の端末装置２０１ａに対し、Ｄ２Ｄ無線送受信部４０３とＤ２Ｄ無線送受信部４１２との間で通信（ベアラ）を確立させる制御を行って、基地局装置２０２ａを介した代替通信を確立する。同様に、基地局装置２０２ｂにおいても、端末装置２０１ｂと代替通信を確立する。
【０１５４】
また、他基地局と代替通信を行う端末装置２０１ｂからの通信内容は、図９の矢印９０１に示すように、有線Ｉ／Ｆ部４０７→Ｄ２Ｄプロキシ部４０５→Ｄ２Ｄ無線送受信部４０３を経由して自基地局に転送されることにより、通信が行われる。そのため、Ｄ２Ｄ通信が行うことができない程度に離れている２台の端末装置２０１ａ，２０１ｂを代替通信によって通信距離を拡張してコミュニケーションを確立することが可能になる。
【０１５５】
（サーチ信号の照会のアルゴリズム例）
図２２は、サーチ信号の照会のアルゴリズム例を示すフローチャートである。図２２に示すように、基地局装置２０２ａは、端末装置２０１ａにおいてＤ２Ｄ通信開始の指示を受け付けたか否かを判断する（ステップＳ２２０１）。Ｄ２Ｄ通信開始の指示を受け付けたか否かということは、例えば、Ｄ２Ｄアプリケーション４１４が実行されたか否かということである。
【０１５６】
基地局装置２０２ａは、Ｄ２Ｄ通信開始の指示を受け付けるまで待機する（ステップＳ２２０１：Ｎｏ）。Ｄ２Ｄ通信開始の指示を受け付けると（ステップＳ２２０１：Ｙｅｓ）、基地局装置２０２ａは、サーチ信号を参照し、他端末からのサーチ信号のターゲット端末名が自端末におけるサーチ信号のソース端末名であるか否かを判断する（ステップＳ２２０２）。自端末とは、例えば、サーチ信号の照会を行う上で基準となる一方（例えば端末装置２０１ａ）である。他端末とは、例えば、自端末と比較させる他方（端末装置２０１ｂ）である。
【０１５７】
他端末からのサーチ信号のターゲット端末名が自端末におけるサーチ信号のソース端末名ではない場合（ステップＳ２２０２：Ｎｏ）、関係不成立となり（ステップＳ２２０３）、そのまま本フローチャートによる一連の処理を終了する。他端末からのサーチ信号のターゲット端末名が自端末におけるサーチ信号のソース端末名である場合（ステップＳ２２０２：Ｙｅｓ）、他端末からのサーチ信号のソース端末名が自端末におけるサーチ信号のターゲット端末名であるか否かを判断する（ステップＳ２２０４）。
【０１５８】
他端末からのサーチ信号のソース端末名が自端末におけるサーチ信号のターゲット端末名ではない場合（ステップＳ２２０４：Ｎｏ）、基地局装置２０２ａは、ステップＳ２２０３に移行する。他端末からのサーチ信号のソース端末名が自端末におけるサーチ信号のターゲット端末名である場合（ステップＳ２２０４：Ｙｅｓ）、関係が成立し、代替通信を確立し（ステップＳ２２０５）、本フローチャートによる一連の処理を終了する。
【０１５９】
（実施の形態３にかかる無線アクセスシステムの動作シーケンスの一例）
図２３は、自基地局内において代替通信を開始させる動作の一例を示すシーケンス図である。図２３に示すように、端末装置２０１ａは、基地局装置２０２ａを介してオペレータ局舎内装置２０３にＤ２Ｄ通信の接続要求を行う（ステップＳ１４０１）。これを受けて、オペレータ局舎内装置２０３は、端末装置２０１ｂにＤ２Ｄ接続要求を行う（ステップＳ１４０２）。このとき、例えば、基地局装置２０２ａは、Ｄ２Ｄ通信を確立させるための制御信号を端末装置２０１ａおよび端末装置２０１ｂに送信する。
【０１６０】
端末装置２０１ａは、基地局装置２０２ａにセルサーチ信号を送信する（ステップＳ２３０１）。具体的には、基地局装置２０２ａは、端末装置２０１ａから送信されたセルサーチ信号を傍受する。端末装置２０１ｂは、基地局装置２０２ａにセルサーチ信号を送信する（ステップＳ２３０２）。具体的には、基地局装置２０２ａは、端末装置２０１ｂから送信されたセルサーチ信号を傍受する。なお、端末装置２０１ａおよび端末装置２０１ｂは、互いに離れており、お互いのセルサーチ信号を傍受できない。
【０１６１】
基地局装置２０２ａは、セルサーチ信号を照会し、ターゲット端末名とソース端末名との関係を確認する（ステップＳ２３０３）。ターゲット端末名とソース端末名との関係が一致していた場合、基地局装置２０２ａは、オペレータ局舎内装置２０３に、代替通信の接続要求を行う（ステップＳ１４０６）。
【０１６２】
そして、上述したステップＳ１４０７〜Ｓ１４０８の各ステップを行い、自基地局内において代替通信を行うことにより、通信距離を拡張してコミュニケーションを確立する（ステップＳ２３０４）。このように、端末装置２０１ａと端末装置２０１ｂとの間でＤ２Ｄ通信を開始できない場合でも、Ｄ２Ｄ通信の通信方式と同一の通信方式の代替通信を開始させることができる。
【０１６３】
図２４は、自基地局および他基地局においてそれぞれ代替通信を開始させる動作の一例を示すシーケンス図である。図２４に示すように、ステップＳ１４０１，Ｓ１４０２の後、端末装置２０１ａは、基地局装置２０２ａにセルサーチ信号を送信する（ステップＳ２３０１）。端末装置２０１ｂは、基地局装置２０２ｂにセルサーチ信号を送信する（ステップＳ２４０１）。なお、端末装置２０１ａおよび端末装置２０１ｂは、互いに離れており、お互いのセルサーチ信号を傍受できない。基地局装置２０２ａおよび基地局装置２０２ｂは相互にセルサーチ信号を通知する（ステップＳ２４０２）。
【０１６４】
そして、基地局装置２０２ａおよび基地局装置２０２ｂにおいて、それぞれセルサーチ信号を照会し、ターゲット端末名とソース端末名との関係を確認する（ステップＳ２３０３）。ターゲット端末名とソース端末名との関係が一致していた場合、基地局装置２０２ａおよび基地局装置２０２ｂは、オペレータ局舎内装置２０３に、代替通信の接続要求を行う（ステップＳ１４０６）。
【０１６５】
そして、上述したステップＳ１４０７〜Ｓ１４０８の各ステップを行い、自基地局および他基地局において代替通信を行うことにより、通信距離を拡張してコミュニケーションを確立する（ステップＳ２３０４）。このように、端末装置２０１ａと端末装置２０１ｂとの間でＤ２Ｄ通信を開始できない場合でも、Ｄ２Ｄ通信と同一の通信方式である代替通信を開始させることができる。
【０１６６】
実施の形態３によれば、端末装置２０１ａと端末装置２０１ｂとの間の無線伝搬品質が低く、Ｄ２Ｄ通信を開始できない場合でも、Ｄ２Ｄ通信と同一の通信方式である代替通信を行うことができる。したがって、端末装置２０１ａと端末装置２０１ｂとの間でサーチ信号が届かなくても、Ｄ２Ｄ通信と同じ通信方式の代替通信を開始させることができ、Ｄ２Ｄ通信と同じ通信方式の通信エリアを拡大することができる。
【０１６７】
（実施の形態４）
次に、実施の形態４について説明する。実施の形態４では、代替通信を行う端末装置２０１と、Ｄ２Ｄ通信に未対応の端末装置２０１とを通信させる構成について説明する。具体的に補足すると、一方の端末装置２０１がＤ２Ｄ通信に対応していない場合には、せっかく他方の端末装置２０１がＤ２Ｄ通信に対応したとしても、Ｄ２Ｄ通信の通信方式と同一の通信方式を用いた無線帯域を有効活用した通信を行うことができない。そこで、実施の形態４では、Ｄ２Ｄ通信の通信方式と同一の通信方式を用いた代替通信を行う端末装置２０１と、Ｄ２Ｄ通信に未対応の端末装置２０１とを通信させる場合について説明する。
【０１６８】
まず、図１を参照し、実施の形態４の概要について説明する。実施の形態４は、第２の端末装置１２０ｂが直接の無線通信を行う機能を有していない場合を想定している。図１に示すように、中継部１１４は、直接の無線通信を実行させずに、直接の無線通信と同一の所定の通信方式（Ｄ２Ｄ通信）によって第１の端末装置１２０ａとの間で無線通信を行う。
【０１６９】
また、中継部１１４は、所定の通信方式とは異なる通信方式（対基地局通信）によって第２の端末装置１２０ｂとの間で無線通信を行う。中継部１１４は、Ｄ２Ｄ通信の通信方式と対基地局通信の通信方式とを変換する機能を有する。具体的には、中継部１１４は、対基地局通信の通信方式をＤ２Ｄ通信の通信方式に変換して第２の端末装置１２０ｂへ送信し、対基地局通信の通信方式をＤ２Ｄ通信の通信方式に変換して第１の端末装置１２０ａへ送信する。
【０１７０】
また、中継部１１４は、第２の端末装置１２０ｂが他の基地局装置に接続している場合に、直接の無線通信を実行させずに、所定の通信方式によって第１の端末装置１２０ａとの間で無線通信を行う。また、中継部１１４は、他の基地局装置を介して第２の端末装置１２０ｂとの間で通信を行うことにより、第１の端末装置１２０ａと第２の端末装置１２０ｂとの間の通信の中継を行う。これにより、Ｄ２Ｄ通信の機能を有していない第２の端末装置１２０ｂが、他の基地局装置の通信エリアに位置する場合にも、Ｄ２Ｄ通信と同一の通信方式によって通信を行う第１の端末装置１２０ａと通信することができる。
【０１７１】
図２５は、実施の形態４にかかる無線アクセスシステムにおける通信の概要を示す説明図である。図２５において、端末装置２０１ｃは、Ｄ２Ｄ通信に未対応であり、具体的には、Ｄ２Ｄ通信を行う機能部を有していない。端末装置２０１ａは、Ｄ２Ｄ通信に対応しており、端末装置２０１同士のＤ２Ｄ通信および基地局装置２０２ａを介した代替通信を行うことができる。
【０１７２】
端末装置２０１ａおよび端末装置２０１ｃは、いずれも基地局装置２０２ａの通信エリア３２０ａに位置しているものとする。端末装置２０１ｃは、Ｄ２Ｄ通信に未対応であるため、端末装置２０１ａと端末装置２０１ｃとは、端末装置２０１ａ，２０１ｃ間同士のＤ２Ｄ通信を行うことができない。そこで、基地局装置２０２ａが、端末装置２０１ｃのＤ２Ｄ通信の機能を代替することにより、代替通信を行う端末装置２０１ａとの通信を可能にする。
【０１７３】
具体的には、端末装置２０１ｃは、基地局機能部３０１と接続し、対基地局通信の通信方式にて通信する。基地局機能部３０１は、端末装置２０１ｃから受信したデータをＤ２Ｄプロキシ機能部３０２へ出力する。Ｄ２Ｄプロキシ機能部３０２は、基地局機能部３０１から受信した信号をＤ２Ｄ通信の通信方式に変換する。Ｄ２Ｄプロキシ機能部３０２は、変換したＤ２Ｄ通信用の信号をＤ２Ｄ機能部３０３へ出力する。Ｄ２Ｄ機能部３０３は、端末装置２０１ａと接続し、Ｄ２Ｄ通信の通信方式にて通信する。
【０１７４】
Ｄ２Ｄ機能部３０３は、端末装置２０１ａと接続し、Ｄ２Ｄ通信の通信方式にて通信する。Ｄ２Ｄ機能部３０３は、端末装置２０１ａから受信した信号をＤ２Ｄプロキシ機能部３０２へ出力する。Ｄ２Ｄプロキシ機能部３０２は、Ｄ２Ｄ機能部３０３から受信したデータを対基地局通信の通信方式に変換する。Ｄ２Ｄプロキシ機能部３０２は、変換した対基地局通信用の信号を基地局機能部３０１へ出力する。基地局機能部３０１は、対基地局通信の通信方式にて通信する。
【０１７５】
（実施の形態４にかかる無線アクセスシステムの機能的構成の具体例）
図２６は、実施の形態４にかかる無線アクセスシステムの機能的構成の具体例を示すブロック図である。図２６に示すように、端末装置２０１ｃは、例えば、ＬＴＥ方式またはＬＴＥ−Ａ方式に対応したコンピュータ装置であり、例えばスマートフォンなどのモバイル端末である。端末装置２０１ｃは、アプリケーション実行領域を有する。端末装置２０１ｃは、対基地局無線部４１１と、Ｄ２Ｄアプリケーション４１４と、を有する。
【０１７６】
Ｄ２Ｄアプリケーション４１４は、端末装置２０１ｃのアプリケーション実行領域に配置されるアプリケーションである。Ｄ２Ｄアプリケーション４１４は、代替通信を行う端末装置２０１ａと通信を行うためにインストールされている。Ｄ２Ｄアプリケーション４１４は、対基地局無線部４１１、基地局無線部４０１、トラフィックオフロード部４０２を介して、Ｄ２Ｄプロキシ部４０５に接続される。
【０１７７】
ＳＩＰ処理部４０４は、ＳＩＰシグナリング処理を行い、Ｄ２Ｄ無線送受信部４０３を介して、自基地局の通信エリア内のＤ２Ｄ対応の端末装置２０１ａとＤ２Ｄ通信の通信方式にて通信する。また、他基地局の通信エリア内のＤ２Ｄ対応の端末装置２０１とＤ２Ｄ通信の通信方式にて通信することも可能であり、この場合は有線Ｉ／Ｆ部４０７を介して通信が行われる。
【０１７８】
（無線アクセスシステムにおける通信経路の一例）
図２７Ａは、実施の形態４にかかる無線アクセスシステムにおける通信経路の一例（その１）を示す説明図である。なお、図２７Ａにおいて、各機能部の名称は空欄にしている。端末装置２０１ｃにおいて、ユーザの操作によりＤ２Ｄアプリケーション４１４が実行したとする。すると、端末装置２０１ｃは、矢印２７０１に示すように、対基地局無線部４１１→基地局無線部４０１→トラフィックオフロード部４０２→Ｄ２Ｄプロキシ部４０５を経由して、ＳＩＰ処理部４０４にアクセスし、Ｄ２Ｄ通信の接続要求を行う。ＳＩＰ処理部４０４は、有線Ｉ／Ｆ部４０７→ＥＰＣ装置３１１を経由して、ＳＩＰ  ＡＳ／ＨＳＳ３１２にアクセスする。
【０１７９】
オペレータ局舎内装置２０３は、矢印５０２に示すように、ＥＰＣ装置３１１→有線Ｉ／Ｆ４０７→基地局無線部４０１→対基地局無線部４１１→ＳＩＰ処理部４１３、を経由して、端末装置２０１ｂの呼び出しを行う。これにより、通信が確立する。
【０１８０】
図２７Ｂは、実施の形態４にかかる無線アクセスシステムにおける通信経路の一例（その２）を示す説明図である。なお、図２７Ｂにおいて、各機能部の名称は空欄にしている。通信が確立した後、データは、Ｄ２Ｄプロキシ部４０５を介して、通信が行われる。具体的には、矢印２７１０に示すように、端末装置２０１ｃからの信号は、基地局無線部４０１→トラフィックオフロード部４０２→Ｄ２Ｄプロキシ部４０５→Ｄ２Ｄ無線送受信部４０３、を経由して端末装置２０１ａへ送信される。端末装置２０１ａからの信号は、逆の経路を辿って端末装置２０１ｃへ送信される。
【０１８１】
（実施の形態４にかかる無線アクセスシステムの動作シーケンスの一例）
図２８は、Ｄ２Ｄ通信を行う端末装置と、Ｄ２Ｄ通信に未対応の端末装置とを通信させる動作の一例を示すシーケンス図である。図２８に示すように、端末装置２０１ｃは、基地局装置２０２ａにＤ２Ｄ通信の接続要求を行う（ステップＳ２８０１）。なお、端末装置２０１ｃは、アプリケーション上、Ｄ２Ｄ通信を行うように見せるが、Ｄ２Ｄ通信および代替通信のいずれにも対応していないため、端末装置２０１ｃがＤ２Ｄ通信および代替通信を行うことはない。端末装置２０１ｃと基地局装置２０２ａとの間では、常に対基地局通信の通信方式にて通信が行われる。
【０１８２】
端末装置２０１ｃからＤ２Ｄ通信の接続要求を受けると、基地局装置２０２ａは、オペレータ局舎内装置２０３にＤ２Ｄ通信の接続要求を行う（ステップＳ２８０２）。オペレータ局舎内装置２０３は、端末装置２０１ａにＤ２Ｄ接続要求を行う（ステップＳ２８０３）。そして、端末装置２０１ａおよび基地局装置２０２ａは、セルサーチおよびハンドシェイクを行って（ステップＳ２８０４）、代替通信を行う。
【０１８３】
これにより、無線アクセスシステム１００は、代替通信を行う端末装置２０１ａと、Ｄ２Ｄ通信に未対応の端末装置２０１ｃとの間で通信を開始する（ステップＳ２８０５）。したがって、Ｄ２Ｄ通信に未対応の端末装置２０１ｃにおいても、Ｄ２Ｄアプリケーション４１４をインストールすることにより、Ｄ２Ｄ通信との互換性を得ることができ、あたかもＤ２Ｄ通信を行っているように見せることができる。
【０１８４】
実施の形態４によれば、Ｄ２Ｄ通信と同一の通信方式の代替通信を行う端末装置２０１と、Ｄ２Ｄ通信に未対応の端末装置２０１とを通信させることができる。したがって、端末装置２０１ａ，２０１ｃ間の互換性を得ることができる。また、Ｄ２Ｄ通信と同一の通信方式の代替通信を行う端末装置２０１については、無線帯域を有効活用した通信を行うことができる。
【符号の説明】
【０１８５】
１００  無線アクセスシステム
１１０，２０２ａ，２０２ｂ  基地局装置
１１１，１２２  受信部
１１２，１２１  送信部
１１３  取得部
１１４  中継部
１２０ａ，１２０ｂ，２０１ａ，２０１ｂ  端末装置
１２３  制御部
２０３  オペレータ局舎内装置
３０１  基地局機能部
３０２  Ｄ２Ｄプロキシ機能部
３０３  Ｄ２Ｄ機能部
３１１  ＥＰＣ装置
３１２  ＳＩＰ  ＡＳ／ＨＳＳ
４０１  基地局無線部
４０２  トラフィックオフロード部
４０３，４１２  Ｄ２Ｄ無線送受信部
４０４，４１３  ＳＩＰ処理部
４０５  Ｄ２Ｄプロキシ部
４０６  状態通知／管理部
４０７  有線Ｉ／Ｆ部
４１１  対基地局無線部
４１４  Ｄ２Ｄアプリケーション
１２００  コンピュータ装置
１２０１  ＣＰＵ
１２０２  メモリ
１２０３  ユーザインタフェース
１２０４  通信インタフェース
【図１】
2015097908.tif 000003
【図２】
2015097908.tif 000004
【図３Ａ】
2015097908.tif 000005
【図３Ｂ】
2015097908.tif 000006
【図４】
2015097908.tif 000007
【図５】
2015097908.tif 000008
【図６】
2015097908.tif 000009
【図７】
2015097908.tif 000010
【図８】
2015097908.tif 000011
【図９】
2015097908.tif 000012
【図１０】
2015097908.tif 000013
【図１１】
2015097908.tif 000014
【図１２】
2015097908.tif 000015
【図１３】
2015097908.tif 000016
【図１４】
2015097908.tif 000017
【図１５】
2015097908.tif 000018
【図１６】
2015097908.tif 000019
【図１７Ａ】
2015097908.tif 000020
【図１７Ｂ】
2015097908.tif 000021
【図１８】
2015097908.tif 000022
【図１９】
2015097908.tif 000023
【図２０Ａ】
2015097908.tif 000024
【図２０Ｂ】
2015097908.tif 000025
【図２１】
2015097908.tif 000026
【図２２】
2015097908.tif 000027
【図２３】
2015097908.tif 000028
【図２４】
2015097908.tif 000029
【図２５】
2015097908.tif 000030
【図２６】
2015097908.tif 000031
【図２７Ａ】
2015097908.tif 000032
【図２７Ｂ】
2015097908.tif 000033
【図２８】
2015097908.tif 000034
【国際調査報告】
2015097908.tif 000035
2015097908.tif 000036